(57)【要約】【課題】管理装置が提供するサービスの利用を促進させる。【解決手段】画像管理サーバ（４）は、ユーザの携帯端末（６）から画像管理サービスにおいて生成画像を保存する旨の指示を受信する通信制御部（４１１）と、指示を受信した場合、受信した生成画像を、記憶部（４０２）の生成画像を作成したユーザの記憶領域に保存する画像管理部（４１４）と、記憶部（４０２）に生成画像を保存した場合に、ユーザのアカウントに有価データを付与するよう指示するサイト処理部（４１３）と、を備える。【選択図】図２２
2019032601.tif 000002
【特許請求の範囲】
【請求項１】
写真撮影装置にて作成された画像を前記写真撮影装置から受信し、前記画像を記憶部にユーザ毎に保存するサービスを提供する管理装置であって、
ユーザの端末装置から前記サービスにおいて前記画像を保存する旨の指示である保存指示を受信する受信部と、
前記受信部が前記保存指示を受信した場合、受信した前記画像を、前記記憶部の前記ユーザの記憶領域に保存する画像保存部と、
前記画像保存部が前記ユーザの記憶領域に前記画像を保存した場合に、有価データを付与するサービスにおいて前記ユーザと対応付けられているアカウントに対し、有価データを付与するよう指示する付与指示部と、を備えることを特徴とする、管理装置。
【請求項２】
前記画像保存部は、前記写真撮影装置から受信した前記画像を記憶部に一時保存し、前記画像の一時保存日時から第１の所定期間内に前記保存指示を受信した場合に、前記画像を前記ユーザの記憶領域に保存することを特徴とする、請求項１に記載の管理装置。
【請求項３】
前記受信部は、前記画像の作成日時を含む付加情報を前記写真撮影装置から受信し、
前記画像保存部は、前記画像の作成日時から第２の所定期間内に前記保存指示を受信した場合、前記画像を前記ユーザの記憶領域に保存することを特徴とする、請求項１に記載の管理装置。
【請求項４】
前記受信部は、前記ユーザの端末装置から、前記ユーザからの前記有価データの取得指示を受信し、
前記付与指示部は、前記ユーザの記憶領域に前記画像が保存されており、かつ、前記受信部が前記画像の前記作成日時または前記記憶領域に前記画像が保存された日時から第３の所定期間内に前記取得指示を受信した場合、前記有価データの付与を指示することを特徴とする、請求項２または３に記載の管理装置。
【請求項５】
前記受信部は、画像を識別するための画像識別子を含む付加情報を前記写真撮影装置から受信し、
前記受信部は、前記ユーザの端末装置から、前記ユーザの入力した画像識別子を受信し、
前記画像保存部は、前記画像を前記ユーザの記憶領域に保存する際、前記画像と前記付加情報とを対応付けて保存し、
前記記憶部に保存された前記画像に対応付けられている付加情報に含まれる画像識別子と、前記ユーザの入力した画像識別子とが一致するか否かを判定する識別子判定部を備え、
前記付与指示部は、前記ユーザの記憶領域に前記画像が保存されており、かつ、前記識別子判定部により画像識別子が一致すると判定された場合に、前記有価データの付与を指示することを特徴とする、請求項２または３に記載の管理装置。
【請求項６】
前記画像識別子は、前記写真撮影装置を１度使用することで作成される画像群を示す識別子であり、
前記受信部は、前記写真撮影装置から、前記画像群を示す画像識別子を複数種類受信し、
前記識別子判定部は、前記ユーザの入力した画像識別子が複数種類の前記画像識別子のうちいずれかと一致する場合に、画像識別子が一致すると判定することを特徴とする、請求項５に記載の管理装置。
【請求項７】
前記ユーザの端末装置に表示させる画面データを作成する画面データ作成部と、
前記画面データを前記端末装置に送信する送信部と、を備え、
前記画面データ作成部は、前記画像保存部が前記画像を保存した後に、前記画像と、前記有価データの取得要求を送信するためのリンクとを含む画面データを作成することを特徴とする、請求項４に記載の管理装置。
【請求項８】
前記画面データ作成部は、前記リンクが、前記画像に重畳して表示されるように前記画面データを作成することを特徴とする、請求項７に記載の管理装置。
【請求項９】
前記第１の所定期間、前記第２の所定期間、および前記第３の所定期間のうち少なくとも１つは、前記ユーザが前記管理装置の提供する前記サービスに会員登録されている場合、前記サービスに会員登録されていない場合に比べて長い期間に設定されることを特徴とする、請求項２〜８のいずれか１項に記載の管理装置。
【請求項１０】
前記第１の所定期間、前記第２の所定期間、および前記第３の所定期間のうち少なくとも１つは、前記ユーザの前記サービスにおける会員属性に応じて変化することを特徴とする、請求項９に記載の管理装置。
【請求項１１】
写真撮影装置にて作成された画像を前記写真撮影装置から受信し、前記画像を記憶部にユーザ毎に保存するサービスを提供する管理装置の制御方法であって、
ユーザの端末装置から前記サービスにおいて前記画像を保存する旨の指示である保存指示を受信する受信ステップと、
前記受信ステップにおいて前記保存指示を受信した場合、受信した前記画像を、前記記憶部の前記ユーザの記憶領域に保存する画像保存ステップと、
前記画像保存ステップにおいて前記ユーザの記憶領域に前記画像を保存した場合に、有価データを付与するサービスにおいて前記ユーザと対応付けられているアカウントに対し、有価データを付与するよう指示する付与指示ステップと、を含むことを特徴とする、制御方法。
【請求項１２】
請求項１に記載の管理装置としてコンピュータを機能させるための制御プログラムであって、前記受信部、前記画像保存部、および前記付与指示部としてコンピュータを機能させるための制御プログラム。
【発明の詳細な説明】
【技術分野】
【０００１】
本発明は写真撮影装置において作成された画像を管理する管理装置等に関する。
【背景技術】
【０００２】
近年、写真シール作成装置と連携して種々のサービスを提供する画像管理サーバが開発されている。例えば、写真シール作成装置の写真シール作成ゲームで作成された画像を受信し、該画像を保存するとともに、該画像をユーザに編集、閲覧、およびダウンロードをさせる画像管理サーバが開発されている。
【０００３】
ユーザは、写真シール作成ゲームのプレイ前、またはプレイ後に、携帯端末を介し画像管理サーバが提供するウェブサイで会員登録を行っておく。これにより、ユーザは好きな時に該サイトを介して、画像管理サーバが提供するサービスを受けることができる。
【０００４】
また、近年、ユーザがサイト上で特定の動作を行うことによって、有価データであるポイントを貯めることができるウェブサイトが提供されている。ユーザは貯めたポイントを金品または他の有価データと交換することができる。もしくは、ユーザは貯めたポイントと交換に、懸賞へ応募する権利を得ることができる。
【先行技術文献】
【特許文献】
【０００５】
【特許文献１】特開２０１２−１４２７７３号公報（２０１２年７月２６日公開）
【発明の概要】
【発明が解決しようとする課題】
【０００６】
特許文献１には、写真シール作成ゲームの一工程として、写真シール作成装置とユーザの携帯端末とで通信を行うことにより、ユーザの携帯端末に有価データを付与する技術が開示されている。前記技術の場合、画像管理サーバが提供するサービスを利用しなくとも有価データが得られるため、ユーザに画像管理サービスへの会員登録および該サービスの利用を促すことができなかった。
【０００７】
本発明の一態様は、前記問題点を鑑みたものであり、その目的は、管理装置が提供するサービスの利用を促進させることが可能な管理装置等を実現することにある。
【課題を解決するための手段】
【０００８】
前記の課題を解決するために、本発明の一態様に係る管理装置は、写真撮影装置にて作成された画像を前記写真撮影装置から受信し、前記画像を記憶部にユーザ毎に保存するサービスを提供する管理装置であって、ユーザの端末装置から前記サービスにおいて前記画像を保存する旨の指示である保存指示を受信する受信部と、前記受信部が前記保存指示を受信した場合、受信した前記画像を、前記記憶部の前記ユーザの記憶領域に保存する画像保存部と、前記画像保存部が前記ユーザの記憶領域に前記画像を保存した場合に、有価データを付与するサービスにおいて前記ユーザと対応付けられているアカウントに対し、有価データを付与するよう指示する付与指示部と、を備えることを特徴とする。
【０００９】
前記の構成によれば、ユーザは、写真撮影装置で画像を作成した後、管理装置の提供するサービスにて画像を保存するよう指示することで、有価データを得ることができる。これにより、管理装置は、自装置が提供するサービスの利用を促進させることができる。
【００１０】
前記管理装置において、前記画像保存部は、前記写真撮影装置から受信した前記画像を記憶部に一時保存し、前記画像の一時保存日時から第１の所定期間内に前記保存指示を受信した場合に、前記画像を前記ユーザの記憶領域に保存してもよい。
【００１１】
前記の構成によれば、管理装置は、画像が保存されてから第１の所定期間内にユーザから指示を受信した場合に、該ユーザに対し有価データを付与する。換言すると、ユーザは、有価データを得るためには、所定期間内に管理装置に対して画像を保存するよう指示する必要がある。したがって、管理装置は、ユーザに、管理装置が提供するサービスを利用するよう誘導することができる。
【００１２】
前記管理装置において、前記受信部は、前記画像の作成日時を含む付加情報を前記写真撮影装置から受信し、前記画像保存部は、前記画像の作成日時から第２の所定期間内に前記保存指示を受信した場合、前記画像を前記ユーザの記憶領域に保存することを特徴とする、請求項１に記載の管理装置。
【００１３】
前記の構成によれば、管理装置は、画像が作成されてから第２の所定期間内にユーザから指示を受信した場合に、該ユーザに対し有価データを付与する。換言すると、ユーザは、有価データを得るためには、写真撮影装置で画像を作成し管理装置に保存した後、所定期間内に管理装置に対して画像を保存するよう指示する必要がある。したがって、管理装置は、ユーザに、管理装置が提供するサービスを利用するよう誘導することができる。
【００１４】
前記管理装置において、前記受信部は、前記ユーザの端末装置から、前記ユーザからの前記有価データの取得指示を受信し、前記付与指示部は、前記ユーザの記憶領域に前記画像が保存されており、かつ、前記受信部が前記画像の前記作成日時または前記記憶領域に前記画像が保存された日時から第３の所定期間内に前記取得指示を受信した場合、前記有価データの付与を指示してもよい。
【００１５】
前記の構成によれば、管理装置は、画像を作成または保存してから所定期間内にユーザから有価データの取得要求を受信した場合に、該ユーザに対し有価データを付与する。換言すると、ユーザは、有価データを得るためには、画像の作成または保存から所定期間内に有価データの取得要求とを送る必要がある。したがって、管理装置は、ユーザに、管理装置が提供するサービスを利用するよう誘導することができる。
【００１６】
前記管理装置において、前記受信部は、画像を識別するための画像識別子を含む付加情報を前記写真撮影装置から受信し、前記受信部は、前記ユーザの端末装置から、前記ユーザの入力した画像識別子を受信し、前記画像保存部は、前記画像を前記ユーザの記憶領域に保存する際、前記画像と前記付加情報とを対応付けて保存し、前記記憶部に保存された前記画像に対応付けられている付加情報に含まれる画像識別子と、前記ユーザの入力した画像識別子とが一致するか否かを判定する識別子判定部を備え、前記付与指示部は、前記ユーザの記憶領域に前記画像が保存されており、かつ、前記識別子判定部により画像識別子が一致すると判定された場合に、前記有価データの付与を指示してもよい。
【００１７】
前記の構成によれば、管理装置は、画像が作成されてから所定期間内にユーザにより画像識別子が入力された場合に、該ユーザに対し有価データを付与する。換言すると、ユーザは、有価データを得るためには、管理装置に画像を保存した後、画像識別子を入力して管理装置に送信する必要がある。したがって、管理装置は、ユーザに管理装置が提供するサービスを利用するよう誘導することができる。
【００１８】
前記管理装置において、前記画像識別子は、前記写真撮影装置を１度使用することで作成される画像群を示す識別子であり、前記受信部は、前記写真撮影装置から、前記画像群を示す画像識別子を複数種類受信し、前記識別子判定部は、前記ユーザの入力した画像識別子が複数種類の前記画像識別子のうちいずれかと一致する場合に、画像識別子が一致すると判定してもよい。
【００１９】
前記の構成によれば、ある画像について、該画像を含む１度に作成された画像群を示す画像識別子が、複数種類付与される。そして、複数種類の画像識別子のうちいずれかをユーザが入力された場合、管理装置は、画像識別子が一致すると判定する。したがって、管理装置は、例えば複数のユーザで画像作成が行われた場合に、各ユーザがそれぞれ異なる画像識別子を入力しても、該画像識別子が一致すると判定することができる。
【００２０】
前記管理装置は、前記ユーザの端末装置に表示させる画面データを作成する画面データ作成部と、前記画面データを前記端末装置に送信する送信部と、を備え、前記画面データ作成部は、前記画像保存部が前記画像を保存した後に、前記画像と、前記有価データの取得要求を送信するためのリンクとを含む画面データを作成してもよい。これにより、管理装置は、ユーザに、有価データの取得方法を明示できる。
【００２１】
前記管理装置において、前記画面データ作成部は、前記リンクが、前記画像に重畳して表示されるように前記画面データを作成してもよい。これにより、管理装置は、ユーザに、有価データの取得方法を明示できる。
【００２２】
前記管理装置において、前記第１の所定期間、前記第２の所定期間、および前記第３の所定期間のうち少なくとも１つは、前記ユーザが前記管理装置の提供する前記サービスに会員登録されている場合、前記サービスに会員登録されていない場合に比べて長い期間に設定されてもよい。これにより、ユーザにサービスへの登録を促すことができる。
【００２３】
前記管理装置において、前記第１の所定期間、前記第２の所定期間、および前記第３の所定期間のうち少なくとも１つは、前記ユーザの前記サービスにおける会員属性に応じて変化してもよい。これにより、ユーザに、より良い会員属性でサービスに登録することを促すことができる。
【００２４】
本発明の一態様に係る制御方法は、写真撮影装置にて作成された画像を前記写真撮影装置から受信し、前記画像を記憶部にユーザ毎に保存するサービスを提供する管理装置の制御方法であって、ユーザの端末装置から前記サービスにおいて前記画像を保存する旨の指示である保存指示を受信する受信ステップと、前記受信ステップにおいて前記保存指示を受信した場合、受信した前記画像を、前記記憶部の前記ユーザの記憶領域に保存する画像保存ステップと、前記画像保存ステップにおいて前記ユーザの記憶領域に前記画像を保存した場合に、有価データを付与するサービスにおいて前記ユーザと対応付けられているアカウントに対し、有価データを付与するよう指示する付与指示ステップと、を含む。
【００２５】
本発明の一態様に係る制御プログラムは、前記管理装置としてコンピュータを機能させるための制御プログラムであって、前記受信部、前記画像保存部、および前記付与指示部としてコンピュータを機能させる。
【発明の効果】
【００２６】
本発明の一態様によれば、管理装置が提供するサービスの利用を促進させることができる。
【図面の簡単な説明】
【００２７】
【図１】実施形態１に係る画像管理サーバの要部構成を示すブロック図である。
【図２】実施形態１に係る画像管理システムの構成を示す図である。
【図３】実施形態１に係る写真シール作成装置の外観の構成例を示す斜視図である。
【図４】実施形態１に係る写真シール作成装置の外観を他の角度からみた斜視図である。
【図５】実施形態１におけるユーザの移動について説明する図である。
【図６】実施形態１に係る写真シール作成装置に備えられる撮影部の構成例を示す図である。
【図７】実施形態１に係る写真シール作成装置に備えられる背景部の構成例を示す図である。
【図８】実施形態１に係る写真シール作成装置に備えられる編集部の構成例を示す図である。
【図９】実施形態１に係る写真シール作成装置に備えられる事後接客部の構成例を示す図である。
【図１０】実施形態１に係る写真シール作成装置の内部の構成例を示すブロック図である。
【図１１】実施形態１に係る写真シール作成装置に備えられる制御部の詳細な構成例を示す機能ブロック図である。
【図１２】実施形態１に係るユーザ管理情報のデータ構成を示す図である。
【図１３】実施形態１に係る画像管理情報のデータ構成を示す図である。
【図１４】実施形態１に係るポイントサーバの要部構成を示すブロック図である。
【図１５】実施形態１に係る携帯端末の要部構成を示すブロック図である。
【図１６】実施形態１における写真撮影から画像保存までの一連の処理の流れの例を示すシーケンス図である。
【図１７】実施形態１における画像管理サーバへの画像保存処理時に携帯端末の表示部に表示されるウェブページの一例を示す画面遷移図である。
【図１８】実施形態１における画像管理サイトのログインページの一例を示す図である。
【図１９】実施形態１に係る画像管理サイトの画像保存ページの一例を示す図である。
【図２０】実施形態１に係る画像管理サイトの保存完了ページの一例を示す図である。
【図２１】実施形態１に係る画像管理サイトとポイントサイトとの関係、およびサイト間のページの遷移例を示す図である。
【図２２】実施形態１に係る画像管理サイトの各種ページの具体例を示す図である。
【図２３】実施形態１に係るポイントサイトの各種ページの具体例を示す図である。
【図２４】本発明の実施形態に係るポイント付与の処理の流れを示すフローチャートである。
【図２５】実施形態２に係る画像管理サイトのトップページを示す図である。
【図２６】実施形態３に係る処理の流れを示すフローチャートである。
【発明を実施するための形態】
【００２８】
本発明の実施形態について、図１〜図２２を参照して以下に説明する。なお、各図面に記載した構成の形状、ならびに、長さ、奥行および幅などの寸法は、実際の形状および寸法を反映させたものではなく、図面の明瞭化と簡略化のために適宜変更している。
【００２９】
（画像管理システム１０）
図２は、本発明の第１実施形態に係る画像管理システム１０の構成を示す図である。図２に示すように、画像管理システム１０は、写真シール作成装置（写真撮影装置）１、携帯端末（端末装置）６、画像管理サーバ（管理装置）４、およびポイントサーバ５を備えている。
【００３０】
画像管理システム１０は、ユーザの写真撮影、画像の編集、画像の写真シールとしての印刷、画像管理サーバ４への画像の保存、および、保存された画像の閲覧を実現する会員制のサービス（画像管理サービス）をユーザに提供する。また、画像管理システム１０は、画像管理サーバ４の提供する画像管理サービスと連携するポイントサービス（後述）をユーザに提供する。
【００３１】
写真シール作成装置１は、写真撮影、画像編集、および写真シール印刷のサービスを含む、写真シール作成ゲーム（以下、単にゲームと称する）を提供するものである。例えば、写真シール作成装置１は、ゲームセンターなどの店舗に設置される遊技機である。以下では、写真シール作成装置１が撮影した撮影画像および当該撮影画像を編集した編集画像等、写真シール作成装置１が生成した画像を生成画像と称する。また、写真シール作成装置１は、ネットワークを介して画像管理サーバ４と接続しており、生成した生成画像を画像管理サーバ４に送信することができる。必須ではないが、写真シール作成装置１はポイントサーバ５と通信可能であってもよい。
【００３２】
画像管理サーバ４は、写真シール作成装置１が生成した生成画像を管理するものであり、上述の画像管理サービスを、自己が運営する画像管理サイトを介して提供する。画像管理サーバ４は、携帯端末６に対して、該携帯端末６のユーザが自身の画像および他のユーザの画像を閲覧する機能を提供するサーバである。また、画像管理サーバ４は、ＳＮＳ（Social Networking Service）機能を有し、画像閲覧サービスを含むユーザ間のデータ通信によるコミュニケーションサービスを提供してもよい。画像管理サーバ４は、ポイントサーバ５と有線または無線で通信する。
【００３３】
携帯端末６は、ユーザが所持する通信端末である。携帯端末６は、例えば、携帯電話機、スマートフォン、タブレット端末等である。携帯端末６は、無線通信手段または有線通信手段により写真シール作成装置１と通信することができる。また、携帯端末６は、ネットワークを介して画像管理サーバ４と通信して、画像管理サービス（およびコミュニケーションサービス）を享受することができる。すなわち、ユーザは、自身が所持する携帯端末６を操作することによって、写真シール作成装置１によって作成した画像を画像管理サーバ４に保存したり、画像管理サーバ４に保存された画像を閲覧したりすることができる。
【００３４】
なお、ここで言う「保存された画像」とは、画像管理サーバ４に非一時的に保存された画像を示す。以降、画像管理サーバ４が行う各種処理において単に「画像を保存する」と記載する場合は、画像を非一時的に保存することを意味する。なお、ユーザは、携帯端末６と異なる通信端末（例えば、デスクトップ型またはノートブック型のＰＣ等）を用いて、画像管理サーバ４にアクセスすることもできる。
【００３５】
画像管理サーバ４への生成画像の保存には、事前の会員登録が必要である。ユーザは、無料会員として自身を画像管理サーバ４に登録する。無料会員は、会費を支払う必要がないが、画像管理サーバ４は保存できる生成画像の枚数に制限を受ける。本実施形態では、無料会員は、１回のゲーム（１プレイ）ごとに１枚の生成画像のみを画像管理サーバ４に保存できる。
【００３６】
ユーザは、自身の会員属性を、無料会員から有料会員に変更することができる。有料会員は、一定の会費を継続的に支払う必要がある代わりに、画像管理サーバ４に無制限に生成画像を保存できる。本実施形態では、１プレイで生成された生成画像を全て画像管理サーバ４に保存できる。
【００３７】
なお、有料会員の制度として、一定の会費を継続的に支払うことにより、無制限に生成画像を保存可能な制度ではなく、画像管理サーバ４に保存した生成画像の枚数に応じて課金する制度を採用してもよい。
【００３８】
画像管理システム１０における写真撮影から画像保存までの流れについて、以下に簡潔に説明する。１人または複数人のユーザは、代金を写真シール作成装置１に支払い、写真撮影および画像編集に関するゲームをプレイする。ユーザはゲーム中に自身を被写体として撮影する。ユーザは、撮影によって生成された撮影画像の中から、編集対象の画像をいくつか選択し、好きなように編集する。また、ユーザは、後で生成画像を画像管理サーバ４に保存するために、写真シール作成装置１に自身の連絡先（ユーザの識別情報、例えばメールアドレス）を入力する。以降は、ユーザが写真シール作成装置１にメールアドレスを入力したこととして説明を行う。しかしながら、メールアドレスは前記連絡先の単なる一例であって、前記連絡先はメールアドレスのみに限定されない。例えば前記連絡先は、例えばメッセージ機能、伝言板機能、またはコメント機能などを有するシステム（メッセージシステム）におけるユーザのアカウントＩＤ等であってもよい。
【００３９】
ゲームの終了後、ユーザは写真シールを手に入れる。一方、写真シール作成装置１は、生成した生成画像に、入力されたユーザのメールアドレスおよび付加情報を関連付けて、画像管理サーバ４に送信する。画像管理サーバ４は、受信した生成画像および付加情報を一時的に保存し、さらに、受信したメールアドレス宛に、受信した生成画像を画像管理サーバ４に保存することを案内するメールを送信する。ユーザは、自身の携帯端末６においてこのメールを受信する。ユーザは、受信したメールに記載されているアドレスにアクセスすることによって画像管理サーバ４と通信を行い、生成画像を保存するための操作を携帯端末６に対して行う。この結果、画像管理サーバ４におけるユーザ専用の画像記憶領域に、生成画像が保存される。
【００４０】
画像管理サーバ４への画像保存後、ユーザは、携帯端末６または所望の他の装置を用いて画像管理サーバ４にログインして、生成画像を閲覧したり、生成画像を携帯端末６または所望の他の装置にダウンロードしたりすることができる。
【００４１】
ポイントサーバ５は、ユーザにポイント付与サービスおよびポイント交換サービス（ポイントサービス）を、ポイントサイトを介して提供するサーバである。ポイント付与サービスとは、ポイントサーバが運営するポイントサイトに会員登録しているユーザに対し、ポイントを付与する会員制のサービスである。ポイントとは、有価データの一種である。ポイント交換サービスとは、所定量のポイントと、所定量の金品またはサービスとを交換する会員制のサービスである。なお、ポイント交換サービスの一環として、所定量のポイントと、懸賞へ応募する権利とが交換可能であってもよい。
【００４２】
ポイントと交換可能な金品およびサービスは特に限定されないが、画像管理サービスのユーザの利用者にとって魅力ある商品であることが望ましい。例えば、ポイントは化粧品、食品、映画のチケット等であってもよい。また、ポイントは、画像管理サービスの会費の支払いに利用可能であってもよい。また、ポイントは、写真シール作成装置１におけるゲームのプレイ代金として利用可能であってもよい。
【００４３】
ポイントサーバ５は、携帯端末６からの指示に応じて、上述したポイントの付与および交換を実行する。ポイントサーバ５は、該指示の実行結果を反映させた、ポイントサイトの各種ページを携帯端末６に送信する。なお、ポイントサーバ５は、携帯端末６からの直接の指示ではなく、携帯端末６から画像管理サーバ４を介し受信した各種指示に応じて、上述したポイントの付与および交換を実行してもよい。
【００４４】
なお、画像管理サーバ４とポイントサーバ５は、一体のサーバであってもよい。また、画像管理サービスと、ポイントサービスとを区別して提供するのではなく、同じサイトを介し提供してもよい。つまり、画像管理サイトとポイントサイトとは、一体のサイトであってもよい。また、画像管理サイトの会員とポイントサイトの会員とは共通であってもよい。換言すると、画像管理サーバ４とポイントサーバ５とは、同じ会員情報（後述する会員データベース４２２または５２１に含まれる情報）を共有して管理してもよい。
【００４５】
また、ポイントサーバ５は、複数種類のポイントサイトを運営し、各サイトでそれぞれ別個のポイントサービスを提供していてもよい。この場合、該複数種類のポイントサイトのうち、少なくとも１つのサイトの提供するサービスが、画像管理サービスと連携する。
【００４６】
以降の説明では、画像管理サーバ４とポイントサーバ５とは別個のサーバであり、画像管理サイトとポイントサイトとも別個のサイトであることとする。また、ポイントサーバ５は１種類のポイントサイトを運営していることとする。また、画像管理サイトに会員登録したユーザは自動的にポイントサイトの会員としても登録されることとする。これにより、画像管理サイトで会員登録したユーザが、わざわざポイントサイトで会員登録をする手間を省くことができる。なお、ポイントサイトで会員登録したユーザについては、自動的に画像管理サイトの会員として登録されてもよいし、登録されないこととしてもよい。
【００４７】
（写真シール作成装置の構成）
画像管理システム１０を構成する各装置の構成および機能について、以下に詳細に説明する。まず、写真シール作成装置１の詳細について、図３〜図１１を参照して説明する。図３は、本発明の第１実施形態に係る写真シール作成装置１の外観の構成例を示す斜視図である。この図に示すように、写真シール作成装置１は、主に、撮影ユニット１１、編集部１２、および事後接客部１３を備えている。写真シール作成装置１は、撮影ユニット１１と編集部１２とが接し、かつ、編集部１２と事後接客部１３とが接した状態で設置される。
【００４８】
（撮影ユニット１１）
撮影ユニット１１は、撮影部２１および背景部２２を備えている。撮影部２１と背景部２２とは、所定の距離だけ離れて設置される。撮影部２１と背景部２２の間に形成される空間である撮影空間において、撮影制御が行われる。
【００４９】
撮影部２１は、撮影制御をユーザに行わせる装置である。撮影部２１は、撮影空間に入り、撮影制御を行っているユーザの正面に位置する。撮影空間を正面に望む面を構成する撮影部２１の正面パネル４１には、撮影制御時にユーザによって用いられるタッチパネルモニタなどが設けられる。撮影空間にいるユーザから見て左側の面を左側面、右側の面を右側面とすると、撮影部２１の左側面が側面パネル４２Ａによって構成され、右側面が側面パネル４２Ｂによって構成される。
【００５０】
背景部２２は、正面を向いて撮影制御を行っているユーザの背面側に位置する板状の部材である背面パネル５１、背面パネル５１の左端に取り付けられ、側面パネル４２Ａより横幅の狭い板状の部材である側面パネル５２Ａ、および、背面パネル５１の右端に取り付けられ、側面パネル４２Ｂより横幅の狭い板状の部材である側面パネル５２Ｂ（図４）から構成される。
【００５１】
撮影部２１の左側面を構成する側面パネル４２Ａと背景部２２の側面パネル５２Ａは、ほぼ同一平面に設けられ、それぞれの上部が板状の部材である連結部２３Ａによって連結される。また、撮影部２１の右側面を構成する側面パネル４２Ｂと背景部２２の側面パネル５２Ｂは、ほぼ同一平面に設けられ、それぞれの上部が板状の部材である連結部２３Ｂによって連結される。
【００５２】
撮影部２１の側面パネル４２Ａ、連結部２３Ａ、および背景部２２の側面パネル５２Ａに囲まれることによって形成される開口が撮影空間の出入り口Ｇ１となる。撮影部２１の側面パネル４２Ｂ、連結部２３Ｂ、および背景部２２の側面パネル５２Ｂに囲まれることによって形成される開口も撮影空間の出入り口Ｇ２となる。
【００５３】
背景部２２の上部には、背面パネル５１、側面パネル５２Ａ、および側面パネル５２Ｂに支持される形で背景カーテンユニット２５が設けられる。背景カーテンユニット２５には、色または柄の異なる、背景に利用する巻き取り式の背景カーテンが複数収納される。背景カーテンユニット２５は、撮影部２１に設けられたカメラ等による撮影と連動して動作し、撮影の際に、例えばユーザによって選択された色のカーテンを下ろし、その他のカーテンを巻き取る。
【００５４】
背景カーテンユニット２５に収納される背景カーテンとしては、複数枚のカーテンを１枚のクロマキ用のカーテンとして使用する昇降式カーテンを用意してもよい。また、クロマキ用のカーテンを予め撮影空間の背面となる背面パネル５１に張り付けると共に、合成用の背景画像を複数種類用意し、後述する編集制御において、ユーザが所望する背景画像をカーテンの部分に合成することができるようにしてもよい。
【００５５】
撮影空間の上方には、撮影部２１の正面パネル４１、連結部２３Ａ、連結部２３Ｂ、および背景カーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて発光するストロボを内蔵する。天井ストロボユニット２４を構成するストロボの内部には蛍光灯が設けられており、撮影空間の照明としても機能する。
【００５６】
（編集部１２）
編集部１２は、撮影制御によって得られた撮影画像を編集する処理である編集制御をユーザに行わせる装置である。編集部１２は、一方の側面が撮影部２１の正面パネル４１の背面に接するように撮影ユニット１１に連結して設けられる。編集部１２には、編集制御時にユーザによって用いられるタブレット内蔵モニタなどの構成が設けられる。
【００５７】
図３に示す編集部１２の構成を正面側の構成とすると、２組のユーザが同時に編集することができるように、編集部１２の正面側と背面側には編集制御に用いられる構成がそれぞれ設けられる。
【００５８】
編集部１２の正面側は、床面に対して垂直な面であり、側面パネル４２Ａとほぼ平行な面である面７１と、面７１の上方に形成された斜面７２から構成され、編集制御に用いられる構成が斜面７２に設けられる。斜面７２の左側には、柱状の形状を有し、照明装置７４の一端を支持する支持部７３Ａが設けられる。支持部７３Ａの上面にはカーテンレール２６を支持する支持部７５が設けられる。斜面７２の右側にも、照明装置７４の他端を支持する支持部７３Ｂ（図４）が設けられる。
【００５９】
編集部１２の上方にはカーテンレール２６が取り付けられる。カーテンレール２６は、上から見たときの形状がコの字状となるように３本のレール２６Ａ乃至２６Ｃを組み合わせて構成される。平行に設けられるレール２６Ａと２６Ｂの一端は、連結部２３Ａと連結部２３Ｂにそれぞれ固定され、他端に残りの一本のレール２６Ｃの両端が接合される。
【００６０】
カーテンレール２６には、編集部１２の正面前方の空間と背面前方の空間の内部が外から見えないようにカーテンが取り付けられる。カーテンレール２６に取り付けられたカーテンによって囲まれる編集部１２の正面前方の空間と背面前方の空間が、ユーザが編集制御を行う編集空間となる。
【００６１】
（事後接客部１３）
図４は、写真シール作成装置の外観を他の角度からみた斜視図である。事後接客部１３は事後接客を行い、ユーザに事後接客に対する操作を行わせる装置である。事後接客には、生成画像を画像管理サーバ４に送信する処理、ミニゲームをユーザに行わせる処理、アンケートに答えさせる処理などが含まれる。
【００６２】
図４に示すように、事後接客部１３は、所定の厚さを有する板状の筐体を有しており、その背面が編集部１２の左側面に接するように編集部１２に連結して設けられる。事後接客部１３の正面には、事後接客に対する操作時にユーザによって用いられるタブレット内蔵モニタ、および、生成画像が印刷されたシール紙が排出される排出口などが設けられる。事後接客部１３の正面前方の空間が、シール紙への印刷が終わるのを待っているユーザが事後接客に対する操作を行う事後接客空間となる。
【００６３】
（ユーザの移動）
写真シール作成ゲームの流れと、それに伴うユーザの移動について図５を参照して説明する。図５は、ユーザの移動について説明する図である。
【００６４】
写真シール作成装置１のユーザは、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラおよびタッチパネルモニタなどを利用して撮影制御を行う。
【００６５】
なお、ユーザの画像の撮影においては、すべての撮影がシール紙に印刷される画像を撮影するものとは限らず、携帯端末６に送信するため（又は、携帯端末６において閲覧可能なように、画像管理サーバ４に送信するため）にのみ撮影される場合もある。これは、印刷される画像と携帯端末６に送信される画像との間でユーザの嗜好が異なることがあるためであり、ユーザの撮影時において、携帯端末６への送信を意識した撮影をしたいユーザの意向にこたえるものである。
【００６６】
撮影制御を終えたユーザは、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００６７】
編集空間Ａ２−１は、編集部１２の正面側の編集空間であり、編集空間Ａ２−２は、編集部１２の背面側の編集空間である。編集空間Ａ２−１と編集空間Ａ２−２のいずれの空間に移動するのかが、撮影部２１のタッチパネルモニタの画面表示などによって案内される。例えば２つの編集空間のうちの空いている方の空間が移動先として案内される。編集空間Ａ２−１または編集空間Ａ２−２に移動したユーザは編集制御を開始する。編集空間Ａ２−１のユーザと、編集空間Ａ２−２のユーザは同時に編集制御を行うことができる。
【００６８】
編集制御が終了した後、生成画像の中から選択された画像の印刷が開始される。画像の印刷中、編集制御を終えたユーザは、編集空間Ａ２−１で編集制御を行っていた場合には白抜き矢印＃５で示すように編集空間Ａ２−１から事後接客空間Ａ３に移動して事後接客を受け、当該事後接客に対する操作を行う。また、編集制御を終えたユーザは、編集空間Ａ２−２で編集制御を行っていた場合には白抜き矢印＃６で示すように編集空間Ａ２−２から事後接客空間Ａ３に移動し、事後接客空間Ａ３において事後接客を受け、当該事後接客に対する操作を行う。
【００６９】
画像の印刷が終了したとき、ユーザは、事後接客部１３に設けられた排出口からシール紙を受け取り、一連の写真シール作成ゲームを終えることになる。
【００７０】
（各部材の構成）
次に、写真シール作成装置１に備えられる各部材の構成について説明する。
【００７１】
（撮影部２１）
図６は、写真シール作成装置１に備えられる撮影部２１の構成例を示す図である。撮影部２１は、正面パネル４１、側面パネル４２Ａ、および側面パネル４２Ｂが、箱状の形状を有するベース部４３に取り付けられることによって構成される。
【００７２】
正面パネル４１は撮影空間Ａ１で撮影制御を行うユーザの正面に位置し、側面パネル４２Ａと側面パネル４２Ｂは、それぞれ、撮影空間Ａ１で撮影制御を行うユーザの左側、右側に位置する。側面パネル４２Ａの上方には連結部２３Ａが固定され、側面パネル４２Ｂの上方には連結部２３Ｂが固定される。
【００７３】
正面パネル４１のほぼ中央には撮影・表示ユニット８１が設けられる。撮影・表示ユニット８１は、カメラ９１、正面ストロボ９２、およびタッチパネルモニタ９３から構成される。
【００７４】
カメラ９１は、ＣＣＤ（Charge Coupled Device）またはＣＭＯＳ（complementary metal-oxide semiconductor）などの撮像素子によって構成され、撮影空間Ａ１にいるユーザを撮影する。カメラ９１によって取り込まれた動画像は、タッチパネルモニタ９３にリアルタイムで表示される。ユーザによって撮影が指示されたときなどの所定のタイミングでカメラ９１によって取り込まれた画像は画像（静止画像）として保存される。
【００７５】
カメラ９１の下側に設けられたタッチパネルモニタ９３は、ＬＣＤ（Liquid Crystal Display）などのモニタと、それに積層されたタッチパネルによって構成される。タッチパネルモニタ９３は、カメラ９１によって取り込まれた動画像を表示するライブビューモニタとしての機能と、各種のＧＵＩ（Graphical User Interface）画像を表示し、ユーザの選択操作をタッチパネルによって受け付ける機能とを備えている。タッチパネルモニタ９３には、適宜、背景等の画像が合成された後の動画像が表示される。
【００７６】
正面パネル４１には、撮影・表示ユニット８１の位置を基準として、上方に上ストロボ８２が設置される。また、左方に左ストロボ８３が設置され、右方に右ストロボ８４が設置される。撮影・表示ユニット８１の下方の位置には、ベース部４３の上面が一部突出する形で下ストロボ８５が設けられる。
【００７７】
上ストロボ８２は、ユーザを上前方から照射する。左ストロボ８３は、ユーザを左前方から照射し、右ストロボ８４は、ユーザを右前方から照射する。下ストロボ８５は、ユーザを下前方から照射する。
【００７８】
ベース部４３にはユーザの足元を照射する足元ストロボ８６も設けられる。上ストロボ８２、左ストロボ８３、右ストロボ８４、下ストロボ８５、および足元ストロボ８６の内部には蛍光灯が設けられており、天井ストロボユニット２４を構成するストロボの内部の蛍光灯と合わせて、撮影空間Ａ１内の照明として用いられる。後述するように、各蛍光灯の発光量を調整することによって、または、発光させる蛍光灯の数を調整することによって、撮影空間Ａ１内の明るさが、ユーザが行っている撮影制御の内容に応じて適宜調整される。
【００７９】
足元ストロボ８６の右側には、ユーザがお金を投入する硬貨投入返却口８７が設けられる。
【００８０】
下ストロボ８５を挟んでベース部４３の上面の左右に形成されるスペース４３Ａおよび４３Ｂは、撮影制御を行うユーザが手荷物等を置くための荷物置場として用いられる。正面パネル４１の例えば天井付近には、撮影制御の案内音声、ＢＧＭ（Back Ground Music）、効果音等の音を出力するスピーカも設けられる。
【００８１】
（背景部２２）
図７は、写真シール作成装置１に備えられる背景部２２の構成例を示す図である。上述したように、背面パネル５１の上方には背景カーテンユニット２５が設けられる。背景カーテンユニット２５のほぼ中央には、撮影空間Ａ１内で撮影制御を行っているユーザを後方中央から照射する背面中央ストロボ１０１が取り付けられる。
【００８２】
背面パネル５１の上方であって、出入り口Ｇ１側の位置には、撮影空間Ａ１内で撮影制御を行っているユーザを左後方から照射する背面左ストロボ１０２が取り付けられる。また、背面パネル５１の上方であって、出入り口Ｇ２側の位置には、撮影空間Ａ１内で撮影制御を行っているユーザを右後方から照射する背面右ストロボ１０３が取り付けられる。
【００８３】
（編集部１２）
図８は、写真シール作成装置１に備えられる編集部１２の構成例を示す図である。この図に示すように、編集部１２において、斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００８４】
タブレット内蔵モニタ１３１は、タッチペン１３２Ａ及び１３２Ｂを用いて操作入力が可能なタブレットがＬＣＤなどのモニタに重畳して設けられることによって構成される。タブレット内蔵モニタ１３１には、例えば、編集対象画像として選択された画像の編集に用いられる画面である編集画面が表示される。２人で同時に編集作業を行う場合、タッチペン１３２Ａは一方のユーザによって用いられ、タッチペン１３２Ｂは他方のユーザによって用いられる。
【００８５】
ここで、ユーザは、編集画面上で、落書きをする感覚で編集をする。編集の種類は、タッチペンで種々の線種および色の落書きをおこなうペン入力、ハートもしくは花びら等の種々の形状または種々のメッセージのスタンプ入力、並びに、背景などに模様を入れる背景操作、名前を入力してスタンプ入力する名前スタンプ機能がある。さらに、化粧のシミュレーションをするコスメ機能、目および顔輪郭などの大きさ形状を微調整する顔微調整機能、並びに、記念日や日付を入れる日付スタンプなどの機能等がある。
【００８６】
なお、編集部１２において行われる画像の編集は、すべてが印刷される画像に対する編集であるとは限らず、ユーザが携帯端末６への送信のみを想定している画像（つまり、印刷されない画像）に対する編集である場合もある。これは、印刷される画像と携帯端末６へ送信されてｗｅｂ上で利用される画像との間で、ユーザの嗜好に違いがあり、例えばブログなどに利用する画像などに対して、印刷される画像に対する編集とは異なる編集をしたいというユーザの意向にこたえるためのものである。
【００８７】
（事後接客部１３）
編集部１２の左側には事後接客部１３が設けられる。図９は、写真シール作成装置１に備えられる事後接客部１３の構成例を示す図である。
【００８８】
事後接客部１３の上方中央にはタブレット内蔵モニタ１６１が設けられる。タブレット内蔵モニタ１６１を挟んで左側にタッチペン１６２Ａが設けられ、右側にタッチペン１６２Ｂが設けられる。タブレット内蔵モニタ１６１もタブレット内蔵モニタ１３１と同様に、タッチペン１６２Ａまたは１６２Ｂを用いて操作入力が可能なタブレットがＬＣＤなどのモニタに重畳して設けられることによって構成される。タブレット内蔵モニタ１６１には、ミニゲームなどの事後接客の工程において用いられる画面が表示される。
【００８９】
タブレット内蔵モニタ１６１の下には非接触型ＩＣリーダ／ライタ１６３が設けられ、非接触型ＩＣリーダ／ライタ１６３の下にはシール紙排出口１６４が設けられる。シール紙排出口１６４の下にはスピーカ１６５が設けられる。
【００９０】
非接触型ＩＣリーダ／ライタ１６３は、近接された非接触型ＩＣと通信を行い、非接触型ＩＣからのデータの読み出しおよび非接触型ＩＣに対するデータの書き込みを行う。
【００９１】
シール紙排出口１６４には、編集空間Ａ２−１のユーザが編集制御を行うことによって作成した画像が印刷されたシール紙、または、編集空間Ａ２−２のユーザが編集制御を行うことによって作成した画像が印刷されたシール紙が排出される。編集部１２の内部にはプリンタが設けられており、画像の印刷がそのプリンタによって行われる。
【００９２】
スピーカ１６５は、事後接客時の案内音声、ＢＧＭ、効果音等の音を出力する。
【００９３】
（写真シール作成装置１の内部構成）
次に、写真シール作成装置１の内部構成について説明する。図１０は、写真シール作成装置１の内部の構成例を示すブロック図である。上述した構成と同じ構成には同じ符号を付す。重複する説明については適宜省略する。
【００９４】
制御部２０１は、ＣＰＵ（Central Processing Unit）などから構成され、ＲＯＭ（Read Only Memory）２０６または記憶部２０２に記憶されているプログラムを実行し、写真シール作成装置１の全体の動作を制御する。制御部２０１には、記憶部２０２、通信部２０３、ドライブ２０４、ＲＯＭ２０６、ＲＡＭ（Random Access Memory）２０７が接続される。制御部２０１には、撮影部２１、編集部１２、事後接客部１３、および印刷部２１１の各構成も接続される。
【００９５】
記憶部２０２は、ハードディスクまたはフラッシュメモリなどの不揮発性の記憶媒体からなり、制御部２０１から供給された各種の設定情報を記憶する。記憶部２０２に記憶されている情報は制御部２０１によって適宜読み出される。
【００９６】
通信部２０３はインターネットなどのネットワークのインタフェースであり、制御部２０１による制御に従って外部の装置と通信を行う。
【００９７】
ドライブ２０４には、光ディスクまたは半導体メモリなどよりなるリムーバブルメディア２０５が適宜装着される。ドライブ２０４によってリムーバブルメディア２０５から読み出されたコンピュータプログラムおよびデータは、制御部２０１に供給され、記憶部２０２に記憶されたり、インストールされたりする。
【００９８】
ＲＯＭ２０６には、制御部２０１において実行されるプログラムおよびデータが記憶されている。ＲＡＭ２０７は、制御部２０１が処理するデータおよびプログラムを一時的に記憶する。
【００９９】
撮影部２１は、撮影空間Ａ１におけるユーザの撮影制御に関する処理を行う。撮影部２１は、硬貨処理部２２１、背景制御部２２２、照明制御部２２３、カメラ９１、タッチパネルモニタ９３、およびスピーカ２２４から構成される。
【０１００】
硬貨処理部２２１は、硬貨投入返却口８７に対する硬貨の投入を検出する。硬貨処理部２２１は、例えば３００円などの所定の金額分の硬貨が投入されたことを検出した場合、そのことを表す起動信号を制御部２０１に出力する。
【０１０１】
背景制御部２２２は、制御部２０１より供給される背景制御信号に従って背景カーテンユニット２５に収納されている背景カーテンの上げ下ろしを行う。背景カーテンの選択がユーザによって手動で行われるようにしてもよい。
【０１０２】
照明制御部２２３は、制御部２０１より供給される照明制御信号に従って、撮影空間Ａ１内の各ストロボの発光を制御する。上述したように、撮影空間Ａ１には、天井ストロボユニット２４のストロボの他に、撮影部２１に設けられる上ストロボ８２、左ストロボ８３、右ストロボ８４、下ストロボ８５、足元ストロボ８６と、背景部２２に設けられる背面中央ストロボ１０１、背面左ストロボ１０２、背面右ストロボ１０３が設けられる。各ストロボの内部には蛍光灯も設けられる。
【０１０３】
また、照明制御部２２３は、各ストロボの内部に設けられる蛍光灯の発光量を調整することによって、または、発光させる蛍光灯の数を調整することによって、ユーザが行っている撮影制御の段階に応じて撮影空間Ａ１内の明るさを調整する。
【０１０４】
カメラ９１は、制御部２０１による制御に従って撮影を行い、撮影によって得られた画像（撮影画像）を制御部２０１に出力する。
【０１０５】
編集部１２Ａは、編集空間Ａ２−１におけるユーザの編集制御に関する処理を行う。編集部１２Ａは、編集部１２の正面側に設けられるタブレット内蔵モニタ１３１、タッチペン１３２Ａ、１３２Ｂ、およびスピーカ２３１から構成される。編集部１２Ｂも編集部１２Ａと同一の構成を有しており、編集空間Ａ２−２におけるユーザの編集制御に関する処理を行う。
【０１０６】
タブレット内蔵モニタ１３１は、制御部２０１による制御に従って編集画面を表示し、編集画面に対するユーザの操作を検出する。ユーザの操作の内容を表す信号は制御部２０１に供給され、編集対象の画像の編集が行われる。
【０１０７】
事後接客部１３は、事後接客空間Ａ３における事後接客に関する処理を行う。事後接客部１３は、タブレット内蔵モニタ１６１、タッチペン１６２Ａ、１６２Ｂ、非接触型ＩＣリーダ／ライタ１６３、およびスピーカ１６５から構成される。
【０１０８】
印刷部２１１は、印刷制御を行う構成であるプリンタ２４１、およびシール紙ユニット２４２から構成される。プリンタ２４１は、画像、またはユーザによる編集制御によって得られた編集済みの画像を、プリンタ２４１に装着されたシール紙ユニット２４２に収納されているシール紙に印刷し、シール紙排出口１６４に排出する。一点鎖線で囲んで示す事後接客部１３と印刷部２１１が、事後接客空間Ａ３にいるユーザを相手とした事後接客に関する処理を行う構成となる。
【０１０９】
また、印刷部２１１は、印刷制御に係る処理において、シール紙への撮影画像（又は編集画像）の印刷に加え、欄外（シール紙の端部など）に、画像管理サーバ４へ送信した生成画像を取得するためのＵＲＬ（Uniform Resource Locater）、及び、シールＩＤ（画像取得用ＩＤ）などを印刷してもよい。シールＩＤとは、写真シール作成装置１において１プレイで生成された（写真シール作成装置１を１度使用して作成された）１又は複数の生成画像を一義的に特定するための識別子であり、ユーザが１プレイにおいて生成した画像を取得するための識別子である。なお、シールＩＤは、ユーザが１プレイにおいて生成した画像群につき、複数個付与されてもよい。また、シールＩＤには、生成画像を取得できる使用期限が設定されていてもよい。
【０１１０】
なお、シールＩＤは数字ではなく、ＱＲコード（登録商標）等の２次元情報として印刷されていてもよい。この場合、携帯端末６は自装置に備えられたカメラおよびＱＲコードのリーダ機能等を用いてＱＲコードを読み取ることで、シールＩＤを特定することができる。
【０１１１】
ユーザは、生成画像を取得するためのＵＲＬにアクセスし、シールＩＤを入力することにより、写真シール作成装置１において１プレイで生成された生成画像を取得するためのウェブページ（画像取得用ページ）を携帯端末６に表示させることができる。
【０１１２】
これは、例えば、事後接客部１３などにおいてユーザからメールアドレスの入力を受け付ける際に、タイムアウトやミス入力により正しいアドレスを受け付けることができず、生成画像を取得するためのＵＲＬなどの情報をユーザに送信することができないなど場合に、シール紙に印刷されているＵＲＬにアクセスしてシールＩＤを入力することによりユーザが生成画像を取得することができるようにするためである。
【０１１３】
なお、印刷部２１１は、生成画像を取得するための情報として、ＵＲＬではなく、例えば、所定のメールアドレス又はＱＲコード（登録商標）などを印刷してもよい。所定のメールアドレスが印刷されている場合には、ユーザは、当該所定のメールアドレスに空メールを送信することにより、生成画像を取得するためのＵＲＬが記載されたメールを画像管理サーバ４から受信することができる。また、シール紙にＱＲコードが印刷されている場合には、ユーザは、携帯端末６を用いてＱＲコードの示すウェブページへアクセスすることにより、画像取得用ページへ直接アクセスすることもできる。
【０１１４】
（制御部の構成）
図１１は、写真シール作成装置１に備えられる制御部２０１の詳細な構成例を示す機能ブロック図である。この図に示すように、制御部２０１は、通信制御部３１１、撮影制御部３１２、編集制御部３１３、印刷制御部３１４、および事後接客制御部３１５を備えている。
【０１１５】
通信制御部３１１は、通信部２０３による外部の装置との通信を制御する。通信制御部３１１は、写真シール作成装置１が１プレイにおいて生成した１または複数の生成画像に、画像ＩＤをそれぞれ対応付けて画像管理サーバ４に送信する。なお、画像ＩＤとは、生成画像を一義的に特定するための情報である。また、通信制御部３１１は、写真シール作成装置１が１プレイにおいて生成した１または複数の生成画像に、さらに、シールＩＤ等の付加情報を対応付けて画像管理サーバ４に送信してもよい。また、通信制御部３１１は、写真シール作成装置１が１プレイにおいて生成した１または複数の生成画像全てを送信するのではなく、ユーザが指定した生成画像のみを画像管理サーバ４に送信してもよい。
【０１１６】
本実施形態では、シールＩＤを撮影日時および機器ＩＤから成る情報とし、画像ＩＤを、撮影日時、機器ＩＤおよび１プレイで生成された生成画像を識別するための連番から成る情報とする。また、本実施形態では、通信制御部３１１は、写真シール作成装置１が１プレイにおいて生成した１または複数の生成画像に、画像ＩＤおよびシールＩＤ等を含む付加情報を対応付けて画像管理サーバ４に送信する。すなわち、通信制御部３１１は、当該生成画像に、撮影日時、機器ＩＤおよび連番を対応付けて送信する。これにより、画像管理サーバ４は、シールＩＤを、画像を識別するための識別子として用いること、および、シールＩＤから撮影日時等を特定することができる。
【０１１７】
撮影制御部３１２は、撮影部２１による、写真シール作成ゲームを開始する際に投入される代金に関する処理と、ユーザの撮影制御に従いユーザグループを撮影する等、写真シール作成ゲームにおけるユーザの撮影制御に関する処理とを制御する。撮影制御部３１２は、画像ＩＤおよびシールＩＤを生成することもできる。
【０１１８】
編集制御部３１３は、編集部１２Ａおよび編集部１２Ｂによる画像に対する落書き編集等、写真シール作成ゲームにおけるユーザの編集制御に関する処理を制御する。
【０１１９】
印刷制御部３１４は、印刷部２１１によるシール紙の印刷等、写真シール作成ゲームにおけるユーザの印刷制御に関する処理を制御する。
【０１２０】
事後接客制御部３１５は、事後接客部１３による、編集作業を終了したユーザグループを接客する処理等、写真シール作成ゲームにおける事後接客に関する処理を制御する。
【０１２１】
（管理サーバ４）
次に、画像管理サーバ４の詳細について、図１を参照して説明する。図１は、本発明の実施形態１に係る画像管理サーバ４の要部構成を示すブロック図である。この図に示すように、画像管理サーバ４は、制御部４０１、記憶部４０２、および通信部４０３を備えている。制御部４０１は、画像管理サーバ４の各部材を統括制御する。記憶部４０２は、画像管理サーバ４が使用する各種データを記憶する。通信部４０３は、画像管理システム１０を構成する他の装置と通信する。
【０１２２】
（制御部４０１の詳細）
図１に示すように、制御部４０１は、通信制御部（受信部、送信部）４１１、メール作成部４１２、サイト処理部（付与指示部、画面データ作成部）４１３、画像管理部（画像保存部）４１４およびユーザ管理部４１５を備えている。
【０１２３】
（通信制御部４１１）
通信制御部４１１は、通信部４０３による通信を制御する。
【０１２４】
（メール作成部４１２）
メール作成部４１２は、写真シール作成装置１でゲームをプレイしたユーザのメールアドレス宛に送信されるメールを作成する。本実施形態では、メール作成部４１２は、メールデータベース４２１に格納されているデータを用いて、通信制御部４１１から入力されたメールアドレス宛に送信される、画像の保存を案内するメールを作成し、通信制御部４１１に出力する。
【０１２５】
なお、メール作成部４１２は少なくとも、写真シール作成装置１でゲームをプレイしたユーザに対する各種通知を作成および出力できればよく、当該通知の形式はメールに限られない。また、当該通知は、プッシュ通知およびプル通知のいずれであってもよい。例えば、写真シール作成装置１から画像管理サーバ４へ、連絡先としてメッセージシステムにおけるユーザＩＤ等の連絡先が送信されてきた場合、メール作成部４１２は、前記メッセージシステムのメッセージ機能、伝言板機能、コメント機能などにおけるメッセージ（すなわち、前記各種通知）を作成し出力してもよい。もしくは、メール作成部４１２は、前記メッセージシステム上のメッセージやメールソフトのメールを確認するようユーザに促すプッシュ通知を作成および出力してもよい。
【０１２６】
（サイト処理部４１３）
サイト処理部４１３は、携帯端末６でブラウザによって表示される画像管理サイトとしてのページ情報を作成する。本実施形態では、サイト処理部４１３は、会員データベース４２２、ページデータベース４２３および画像データベース４２４に格納されているデータを用いて、携帯端末６から受信したアクセス要求に応じたページ情報（画面データ）を作成し、通信制御部４１１に出力する。サイト処理部４１３は、ユーザの会員種別に応じたページ情報を作成してもよい。
【０１２７】
本実施形態では、サイト処理部４１３は、画像管理サイトに会員登録するための各種ページに必要な情報をページ情報として作成する。ページ情報には、通常、テキストデータおよび画像データが含まれている。前記ページ情報には、さらに、音声データおよび動画データが含まれていてもよい。
【０１２８】
サイト処理部４１３は、携帯端末６から専用アプリによってアクセスされた場合には、該専用アプリでの表示に必要なデータを生成し、通信制御部４１１を介して送信する。この際に、表示の具体的な制御は専用アプリにおいて行われるので、サイト処理部４１３は、専用アプリの動作に必要な最低限の情報のみを生成する。一方、携帯端末６からブラウザによってアクセスされた場合には、サイト処理部４１３は、該ブラウザでの表示制御および入力制御を実行するためのページデータを生成する。
【０１２９】
（画像管理部４１４）
画像管理部４１４は、写真シール作成装置１が生成した生成画像を管理する。本実施形態では、画像管理部４１４は、写真シール作成装置１から受信した生成画像のうち、ユーザによって指定された生成画像をユーザに対応付けて画像データベース４２４に保存する。
【０１３０】
画像管理部４１４は、ユーザによって指定された生成画像を保存するとき、当該生成画像を管理するための画像管理情報を生成して、生成した画像管理情報を生成画像に対応付けて保存する。また、画像管理部４１４は、携帯端末６から受信したユーザの操作指示に基づいて、画像管理情報を更新する。
【０１３１】
（ユーザ管理部４１５）
ユーザ管理部４１５は、画像管理サイトの会員であるユーザ（以下、会員ユーザと称する）を管理する。ユーザ管理部４１５は、会員ユーザを管理するためのユーザ管理情報を生成し、生成したユーザ管理情報を会員データベース４２２に保存する。なお、ユーザ管理部４１５は、非会員のユーザも管理してもよく、非会員のユーザのユーザ管理情報を生成してもよい。
【０１３２】
（記憶部４０２の詳細）
図１に示すように、記憶部４０２は、メールデータベース４２１、会員データベース４２２、ページデータベース４２３、および画像データベース４２４を有している。
【０１３３】
（メールデータベース４２１）
メールデータベース４２１は、ユーザに送信するメールを作成するための各種データを格納している。
【０１３４】
（会員データベース４２２）
会員データベース４２２は、画像管理サイトの会員であるユーザに関する各種情報を格納している。本実施形態では、会員データベース４２２には、前記ユーザ管理情報がユーザ毎に格納されている。
【０１３５】
ユーザ管理情報は、例えば、図１２に示すような情報であってよい。図１２に示すユーザ管理情報は、「会員ＩＤ」、「パスワード」、「ユーザ名」、「ユーザ画像」、「メールアドレス」、「生年月日」、「住所」、「会員属性」、「入会日」および「端末ＩＤ」を含む。
【０１３６】
「会員ＩＤ」は、会員であるユーザを一義的に識別するためのＩＤである。「ユーザ名」は、ユーザの名称である。「ユーザ画像」は、後述するマイページ等に掲載されるユーザを示すアイコン画像であり、アイコン画像を示すＩＤが記述される。「メールアドレス」は、ユーザのメールアドレスである。「生年月日」は、ユーザの生年月日である。「住所」は、ユーザの住所である。「会員属性」は、ユーザの会員属性を示し、「有料」または「無料」が記述される。「入会日」は、ユーザが画像管理サイトに会員登録した日である。「端末ＩＤ」は、ユーザが所持する携帯端末６を示し、当該携帯端末６を一意に識別するためのＩＤが記述される。
【０１３７】
（ページデータベース４２３）
ページデータベース４２３は、携帯端末６に表示される画像管理サイトのページを作成するための各種データを格納している。
【０１３８】
（画像データベース４２４）
画像データベース４２４は、写真シール作成装置１によって生成された生成画像のうち、画像管理サイトに保存するようにユーザによって指示された生成画像を格納している。画像データベース４２４には、生成画像が、会員データベース４２２に会員として登録されているユーザごとに区別されて格納されている。
【０１３９】
また、画像データベース４２４には、前記画像管理情報がユーザ毎に格納されている。画像管理情報は、例えば、図１３に示すような情報であってよい。図１３に示す画像管理情報は、「画像ＩＤ」、「保存日時」、および「ポイント付与フラグ」を含む。
【０１４０】
「画像ＩＤ」は、生成画像を一義的に識別するためのＩＤであり、「撮影日時」、「機種ＩＤ」および「連番」から構成される。「撮影日時」は、写真シール作成装置１が生成画像を撮影した日時である。「機種ＩＤ」は、生成画像を生成した写真シール作成装置１の機種を一義的に識別するためのＩＤである。「連番」は、写真シール作成装置１において１プレイで生成された生成画像を識別するための番号である。
【０１４１】
「保存日時」は、生成画像が画像管理サイトに保存された日時である。「ポイント付与フラグ」は、画像ＩＤが示す画像について、ポイントサイトにおけるポイントが付与されたか否かを示す情報である。ポイント付与フラグは、例えば０と１の２値で示される。該フラグが０の場合、同レコードの「画像ＩＤ」に含まれるＩＤが示す生成画像について、まだポイントが付与されていないことを示す。該フラグが１の場合、同レコードの「画像ＩＤ」に含まれるＩＤが示す生成画像について、ポイントが付与済であることを示す。
【０１４２】
図示はしないが、記憶部４０２は、写真シール作成装置１から受信した生成画像などのデータを一時的に保存する一時保存データベースも有している。生成画像は、付加情報と対応付けられて一時保存データベースに格納される。
【０１４３】
（通信部４０３の詳細）
本実施形態では、写真シール作成装置１および携帯端末６が、通信部４０３の通信相手である。通信部４０３は、通信制御部４１１の制御を受けることによって、他の装置からデータを受信したり、他の装置にデータを送信したりする。
【０１４４】
（ポイントサーバ５）
次に、ポイントサーバ５の詳細について、図１４を参照して説明する。図１４は、本発明の実施形態１に係るポイントサーバ５の要部構成を示すブロック図である。ポイントサーバ５は、制御部５０１、記憶部５０２、および通信部５０３を備えている。
【０１４５】
制御部５０１は、ポイントサーバ５に備えられる各部材を統括制御する。記憶部５０２は、ポイントサーバ５において使用される各種データを記憶する。通信部５０３は、画像管理システム１０を構成する他の装置と通信する。
３は、画像管理システム１０を構成する他の装置と通信する。
【０１４６】
（制御部５０１の詳細）
図１４に示すように、制御部５０１は、通信制御部５１１、ポイント会員管理部５１２、およびポイントサイト処理部５１３を備えている。
【０１４７】
（通信制御部５１１）
通信制御部５１１は、通信部５０３による通信を制御する。
【０１４８】
（ポイント会員管理部５１２）
ポイント会員管理部５１２は、ポイントサイトの会員であるユーザ（以下、ポイント会員ユーザと称する）を管理する。ポイント会員管理部５１２は、ポイント会員ユーザを管理するためのポイント会員情報を生成し、生成したポイント会員情報を会員データベース５２１に保存する。なお、ポイント会員管理部５１２は、ポイントサイトに会員登録していないユーザの情報も一時的に管理していてもよい。
【０１４９】
（ポイントサイト処理部５１３）
ポイントサイト処理部５１３は、携帯端末６でブラウザによって表示されるポイントサイトのページ情報を作成する。本実施形態では、ポイントサイト処理部５１３は、会員データベース５２１、およびページデータベース５２２に格納されているデータを用いて、携帯端末６から受信したアクセス要求に応じたページ情報を作成し、通信制御部５１１に出力する。なお、ポイントサイト処理部５１３は、ポイント会員ユーザの、該ポイントサイトでの会員種別に応じたページ情報を作成してもよい。
【０１５０】
本実施形態では、ポイントサイト処理部５１３は、ポイントサイトに会員登録するための会員登録ページ、ポイントサイトにログインするためのログインページ、ポイントサイトにログインした際のトップページ、および、ポイントサイトでポイントが付与されたことを示すポイント獲得完了ページ等のページに必要な情報をページ情報として作成する。なお、前記ページ情報には、通常、テキストデータおよび画像データが含まれている。前記ページ情報には、さらに、音声データおよび動画データが含まれていてもよい。
【０１５１】
（記憶部５０２の詳細）
図１４に示すように、記憶部５０２は、会員データベース５２１およびページデータベース５２２を有している。
【０１５２】
（会員データベース５２１）
会員データベース５２１は、ポイントサイトの会員であるユーザに関する各種情報を格納している。本実施形態では、会員データベース５２１には、ポイント会員情報がユーザ毎に格納されている。
【０１５３】
ポイント会員情報は、少なくとも、ポイント会員ユーザを特定する情報に、該ポイント会員ユーザの獲得ポイントの累計（累計ポイント）を示す情報が対応付けられた情報である。以下の説明では、ポイント会員ユーザを特定する情報として、画像管理サイトと同様の会員ＩＤが用いられることとする。なお、ポイント会員情報は、ユーザ名、ユーザ画像、メールアドレス、生年月日、住所、会員属性、入会日および端末ＩＤを含んでいてもよい。
【０１５４】
（ページデータベース５２２）
ページデータベース５２２は、携帯端末６に表示されるポイントサイトのページを作成するための各種データを格納している。
【０１５５】
（通信部５０３の詳細）
本実施形態では、画像管理サーバ４および携帯端末６が、通信部５０３の通信相手である。通信部５０３は、通信制御部５１１の制御を受けることによって、他の装置からデータを受信したり、他の装置にデータを送信したりする。
【０１５６】
（携帯端末６）
図１５は、本発明の実施形態１に係る携帯端末６の要部構成を示すブロック図である。この図に示すように、携帯端末６は、主に、制御部６０１、記憶部６０２、通信部６０３、入力部６０４、および表示部６０５を備えている。制御部６０１は、携帯端末６に備えられる各部材を統括制御する。記憶部６０２は、携帯端末６において使用される各種データを記憶する。携帯端末６は、画像管理システム１０を構成する他の装置と通信する。入力部６０４は、タッチパネルなどの、ユーザが携帯端末６に情報を入力するための装置である。表示部６０５は、液晶表示装置などの、情報を表示するための装置である。
【０１５７】
（制御部６０１の詳細）
図１５に示すように、制御部６０１は、通信制御部６１１、入力制御部６１２、および表示制御部６１３を備えている。
【０１５８】
通信制御部６１１は、通信部６０３による通信を制御する。
【０１５９】
表示制御部６１３は、表示部６０５における情報表示を制御する。具体的には、表示制御部６１３は、携帯端末６で動作する各種プログラムによって表示制御を行う。本実施形態では、ＷＥＢを閲覧するためのブラウザ、および、画像管理サイトのインタフェースとして機能する専用アプリなどによって、表示制御部６１３が動作する。表示制御部６１３は、通信制御部６１１を介して画像管理サーバ４と通信を行い、画像管理サイトに関する表示を制御する。
【０１６０】
専用アプリは、画像管理サイトに特化したアプリケーションプログラムであり、携帯端末６のユーザによって適宜インストールされる。この専用アプリは、画像管理サイトに関する情報を表示するための各種データを備えている。すなわち、各種ページの表示に関して、各種の欄、各種画像、および各種テキスト情報などの表示位置制御や、各種ボタンなどの指示入力用画像の表示制御は、専用アプリによって動作する表示制御部６１３によって行われる。
【０１６１】
入力制御部６１２は、表示制御部６１３によって表示制御された各種指示入力用画像に対して入力部６０４によって入力指示された結果に基づいて処理を行う。すなわち、入力制御部６１２は、ブラウザおよび専用アプリなどによって受け付けられる指示入力に関するインタフェースを提供する。
【０１６２】
（サービスの流れ）
次に、画像管理システム１０によって提供される画像管理サービスの流れの詳細について、図１６〜図２０を参照して以下に説明する。図１６は、画像管理システム１０における写真撮影から画像保存の完了までの一連の処理の流れの例を示すシーケンス図である。
【０１６３】
（写真撮影）
図１６に示すように、ユーザは、写真シール作成装置１においてゲームのプレイを開始する（ステップＳ１）。具体的には、ユーザは、写真シール作成装置１の正面パネル４１の前に立ち、ゲームのプレイに必要な料金の硬貨を、硬貨投入返却口８７に投入する。撮影制御部３１２は、所定の金額分の硬貨が投入されたか否かを、硬貨処理部２２１から供給される信号に基づいて判定する。
【０１６４】
投入されたと判定した場合、撮影制御部３１２は、撮影部２１を制御し、カメラ９１に取り込まれた被写体の動画像をタッチパネルモニタ９３にライブビュー表示させ、ユーザによる撮影制御に従って、撮影空間Ａ１にいるユーザを被写体として撮影する（ステップＳ２）。この撮影制御は撮影処理時間内に複数回行われる。
【０１６５】
なお、撮影制御における処理として、シール紙への印刷用の画像の撮影ではなく、携帯端末６への送信用の画像の撮影として、所定の回数の撮影を行うこともある。この場合には、携帯端末６への送信用の画像に適した画像として、合成用画像をクロマキ合成した画像、及び、色フィルターによるフィルタリング処理などの画像処理を施した画像を、撮影時に作成することもある。
【０１６６】
写真撮影の終了後、撮影制御部３１２は、撮影空間Ａ１にいるユーザに対して、編集空間Ａ２−１または編集空間Ａ２−２への移動を案内する。この案内は、案内画面を撮影部２１のタッチパネルモニタ９３に表示させることによって、または、音声案内をスピーカ２２４から出力させることによって、行われる。
【０１６７】
（画像編集）
案内の終了後、編集制御部３１３は、編集空間Ａ２−１と編集空間Ａ２−２のうち、撮影制御を終えたユーザの移動先とした方の編集空間に対応する編集部１２を制御することによって、編集部１２に画像を編集させる（ステップＳ３）。具体的には、編集制御部３１３は、編集対象画像として選択または取得された画像に合成するための合成用画像をユーザに選択させ、選択された合成用画像を画像に合成させ、得られた合成画像を、ユーザによる編集操作に従って編集する。また、携帯端末６への送信用の画像に対する編集として、例えば、画像を所定のサイズにトリミングする処理、色フィルターによるフィルタリング処理、及び、複数の画像を一つの画像として仕上げるコラージュ合成処理などの処理を行うこともできる。
【０１６８】
編集の終了後、編集制御部３１３は、編集空間Ａ２−１または編集空間Ａ２−２において編集制御を終えたユーザに、事後接客空間Ａ３への移動を案内する。この案内は、案内画面をタブレット内蔵モニタ１３１に表示させることによって、または、案内音声をスピーカ２３１から出力させることによって、行われる。
【０１６９】
（写真シール印刷）
案内の終了後、印刷制御部３１４は、ユーザによって選択された画像をプリンタ２４１に出力してシール紙に印刷させる（ステップＳ４）。印刷が終了すると、事後接客制御部３１５は、印刷が終了した旨をタブレット内蔵モニタ１６１に表示させ、プリンタ２４１は、画像管理サーバ４及び写真シール作成装置１から同じ手順で生成画像を取得可能なように、写真シール作成装置１において作成されたシールＩＤおよび、画像取得情報（画像取得サイトのＵＲＬ、または、取得のためのメールアドレスなど）が欄外に印刷され、また、所定の生成画像が中央部に印刷されたシール紙をシール紙排出口１６４に排出する。
【０１７０】
なお、写真シール作成装置１は、画像管理サーバ４が画像ＩＤおよびシールＩＤの作成に使用するアルゴリズムと同じアルゴリズムを用いて、通信によらない付帯情報で画像ＩＤおよびシールＩＤを作成してもよい。この場合、写真シール作成装置１は、画像管理サーバ４が画像ＩＤおよびシールＩＤを作成することなく、画像ＩＤおよびシールＩＤを得ることができ、かつ、画像管理サーバ４は、写真シール作成装置１が作成した画像ＩＤおよびシールＩＤを適切に認識して、対応する一時保存データベースに保存された画像を特定できる。
【０１７１】
（事後接客）
印刷中、事後接客制御部３１５は、事後接客部１３を制御し、印刷終了待機中のユーザに対する事後接客に関する処理を制御する（ステップＳ５）。具体的には、事後接客制御部３１５は、事後接客部１３による事後接客に関する処理として、写真シール作成ゲームにおいて生成画像を画像管理サーバ４に送信するための処理を制御する。その際、事後接客制御部３１５は、ゲームをプレイしたユーザのメールアドレスを入力するためのメールアドレスの入力画面をタブレット内蔵モニタ１６１に表示させる。ユーザは、タッチペン１６２Ａまたはタッチペン１６２Ｂを用いることによって、現在用いているメールアドレスを入力する。なお、ユーザが指定した生成画像のみを画像管理サーバ４に送信する場合、事後接客制御部３１５は、送信する生成画像の選択画面もタブレット内蔵モニタ１６１に表示させる。
【０１７２】
（画像送信）
通信制御部３１１は、入力されたメールアドレスおよび写真シール作成装置１が１プレイで生成した１または複数の生成画像を、通信部２０３を通じて画像管理サーバ４に送信する（ステップＳ６）。このとき送信される生成画像には、当該生成画像を一義的に特定するための識別子（画像ＩＤ）が関連付けられている。さらに、送信される生成画像に、シールＩＤ等のその他の情報が関連付けられてよい。写真シール作成装置１から送信されたメールアドレス、生成画像、および画像ＩＤ等を、画像管理サーバ４の通信部４０３が受信し（ステップＳ７）、通信制御部４１１に出力する。通信制御部４１１は、受信した生成画像を、記憶部４０２の図示しない一時保存データベースに保存する。一時保存された生成画像などのデータは、所定期間一時保存データベースに格納され続け、前記所定期間が経過すると自動的に一時保存データベースから削除される。なお、前記所定期間は、生成画像を一時保存した日時（一時保存日時）から所定の期間（第１の所定期間）であってもよいし、前記生成画像の撮影日時から所定の期間（第２の所定期間）であってもよい。
【０１７３】
なお、前記所定期間は、ユーザが画像管理サービスに会員登録されているか否かによって変化してもよい。また、前記所定期間は、画像管理サービスにおけるユーザの会員属性によって変化してもよい。より具体的には、前記所定期間は、ユーザが画像管理サービスに会員登録されている場合、会員登録されていない場合に比べて長い期間に設定されてもよい。また、前記所定期間は、ユーザが有料会員である場合、無料会員である場合に比べて長い期間に設定されてもよい。さらに、通常の有料会員よりも高額な会費を支払うプレミアム会員が会員属性として存在する場合、前記所定の期間は、ユーザがプレミアム会員である場合、ユーザが通常の有料会員である場合よりも長い期間に設定されてもよい。
【０１７４】
このように、ユーザが将来有料会員になる場合を考慮して、１プレイで生成されたすべての生成画像を送信する。そのため、ユーザは、無料会員の状態で写真シール作成装置１を利用した後、サイト上で有料会員になった場合に、写真シール作成装置１において生成されたすべての生成画像を取得することができる。
【０１７５】
なお、通信制御部３１１は、画像管理サーバ４に対し、ユーザが選択した所定の枚数の生成画像、もしくは、制御部２０１が送信対象と決定した生成画像を送信してもよい。
【０１７６】
（案内メールの作成および送信）
通信制御部４１１は、受信したメールアドレスおよび画像ＩＤをメール作成部４１２に出力する。なお、シール紙にシールＩＤが印刷されている場合は、メールに画像ＩＤは記載しなくてもよい。メール作成部４１２は、通信制御部４１１から受け取ったメールアドレス宛に送信される、生成画像の保存をユーザに案内する案内メールを作成する。その手順は次の通りである。メール作成部４１２は、画像ＩＤをサイト処理部４１３に出力すると共に、当該画像ＩＤによって特定される生成画像を保存するためのウェブページを示すＵＲＬ１１０２の生成を、サイト処理部４１３に要求する。なお、画像ＩＤの入力をユーザに促し、生成画像を保存させるＵＲＬを要求してもよい。サイト処理部４１３は、要求されたＵＲＬ１１０２を生成し、メール作成部４１２に出力する。
【０１７７】
メール作成部４１２は、案内メールを作成するためのデータをメールデータベース４２１から取得する。そして、当該データ、ＵＲＬ１１０２、およびユーザのメールアドレスを用いて、図１７の（ａ）に示す案内メール１１０１を作成する。案内メール１１０１の本文中には、ＵＲＬ１１０２が記載されている。メール作成部４１２は、作成した案内メール１１０１を通信制御部４１１に出力する。通信制御部４１１は、通信部４０３を介して、ユーザのメールアドレス宛に案内メール１１０１を送信する（ステップＳ８）。
【０１７８】
なお、メール作成部４１２は、シールＩＤをユーザに入力してもらうだけのウェブページを示すＵＲＬを含む案内メールを送信してもよい。この場合には、画像管理サーバ４は、案内メールに含まれるＵＲＬの示すウェブページ上において、携帯端末６からシール紙の欄外に印刷されたシールＩＤの入力を受け付け、当該画像管理サーバ４に送信されている生成画像を表示するようにしてもよい。
【０１７９】
（画像保存ページの要求および送信）
携帯端末６の通信部６０３は、送信された案内メール１１０１を受信し（ステップＳ９）、通信制御部６１１に出力する。通信制御部６１１は、入力された案内メール１１０１を表示制御部６１３に出力する。表示制御部６１３は、入力された案内メール１１０１を表示部６０５に出力する。ユーザは、表示部６０５に表示された案内メール１１０１を確認し、画像管理サイトに画像を保存するために、入力部６０４を用いてＵＲＬ１１０２を選択する（ステップＳ１０）。なお、画像ＩＤをユーザが入力するようにしてもよい。
【０１８０】
入力制御部６１２は、入力部６０４における選択入力を受け付け、ＵＲＬ１１０２が選択されたことを通信制御部６１１に通知する。これを受けて通信制御部６１１は、選択されたＵＲＬ１１０２に対応するウェブページを、画像管理サーバ４に要求する。具体的には、通信制御部６１１は、ログインページの提供を求める所定のリクエストを、通信部６０３を通じて画像管理サーバ４に送信する。
【０１８１】
通信制御部４１１は、送信されたリクエストを通信部４０３を通じて受信し（ステップＳ１１）、サイト処理部４１３に出力する。サイト処理部４１３は、ログインページを生成し、携帯端末６に送信する（ステップＳ１２）。携帯端末６の通信制御部６１１は、画像管理サーバ４からログインページ１０００を受信する(ステップＳ１３)。携帯端末６の表示制御部６１３は、ログインページ１０００を表示部６０５に表示させる。
【０１８２】
図１８は、画像管理サイトのログインページ１０００を示す図である。図示の通り、ログインページ１０００は、会員ＩＤを入力する入力欄１００１と、パスワードを入力する入力欄１００２と、ログインボタン１００３とを含む。ログインボタン１００３は、入力欄１００１および１００２に入力された会員ＩＤおよびパスワードで、画像管理サイトへのログインをリクエストするためのボタンである。携帯端末６の入力部６０４を介してログインボタン１００３が選択されると、携帯端末６の制御部６０１は通信部６０３を介して、ログイン要求を画像管理サーバ４に送る。なお、ログインページ１０００は、携帯端末６のユーザが画像管理サイトに新規で会員登録するための新規会員登録ボタン１００４を含んでいてもよい。
【０１８３】
画像管理サーバ４のサイト処理部４１３は、携帯端末６から会員ＩＤおよびパスワードの情報を含むログイン要求を受信すると、会員判定を行う（ステップＳ１５）。会員判定とは、会員データベース４２２に照会することによって、受信した会員ＩＤおよびパスワードが示すユーザが会員か否か、および該ユーザの会員種別を判定する判定である。本実施形態では、サイト処理部４１３は、ユーザが無料会員および有料会員のいずれであるかを判定し、判定結果に応じたウェブページを作成する。サイト処理部４１３は、ユーザが無料会員であると判定した場合には、図１９の（ａ）に示すような、無料会員が画像を保存するための画像保存ページ１３００を作成する。一方、ユーザが有料会員であると判定した場合には、図１９の（ｂ）に示すような、有料会員が画像を保存するための画像保存ページ１３００を作成する。なお、画像を保存する際に、画像にかかわる各情報を修正追記変更可能なウェブページに遷移してもよい。
【０１８４】
図１９は、画像管理サイトの画像保存ページ１３００を示す図である。図１９の（ａ）に示すように、無料会員用の画像保存ページ１３００は、６つのサムネイル１３０１、ユーザに有料会員の登録を促すリンク画像１３０２、および、画像管理サイトに生成画像を１枚保存するためのリンク画像１３０３を含んでいる。なお、画像保存ページ１３００は、トップページ１１００（後述）へのリンクオブジェクト（以降、単にリンクと称する）１３０６と、マイページ１２００（後述）へのリンク１３０７を含んでいてもよい。以降で説明する、画像管理サイトの各種ページについても同様に、リンク１３０６および１３０７が含まれていてもよい。
【０１８５】
サムネイル１３０１は、写真シール作成装置１において１プレイで生成された１または複数の生成画像（シールＩＤに対応する１または複数の生成画像）のサムネイルである。図１９の（ａ）に示す例では、１プレイで６枚の生成画像が生成されている。サムネイル１３０１の数は、写真シール作成装置１において１プレイで生成された生成画像（シールＩＤに対応する生成画像）の数に対応する。ユーザが無料会員である場合には保存できる生成画像が１枚であるため、ユーザは６つのサムネイル１３０１の中から１つを選択して、リンク画像１３０３を押下（タップ）することにより、生成画像を画像管理サイトに保存することができる。なお、ユーザが指定した生成画像のみを画像管理サーバ４に送信している場合、画像保存ページ１３００には、そのユーザが指定した生成画像のサムネイル１３０１が表示される。
【０１８６】
図１９の（ｂ）に示すように、有料会員用の画像保存ページ１３００は、６つのサムネイル１３０４、および、全ての画像を保存するためのリンク画像１３０５を含んでいる。ユーザが有料会員である場合には１プレイで生成された生成画像を全て保存することができるため、ユーザはリンク画像１３０５を押下することにより、１プレイで生成された生成画像全てを画像管理サイトに保存することができる。
【０１８７】
本例では、ユーザは有料会員であるので、サイト処理部４１３は、図１９の（ｂ）に示す有料会員用の画像保存ページ１３００を作成する。サイト処理部４１３は、作成した画像保存ページ１３００を通信制御部４１１に出力する。通信制御部４１１は、入力された画像保存ページ１３００を、通信部４０３を通じて携帯端末６に送信する（ステップＳ１５）。
【０１８８】
（画像保存）
携帯端末６は、通信部６０３を通じて画像保存ページ１３００を受信する（ステップＳ１７）。画像保存ページ１３００は、通信制御部６１１を介して表示制御部６１３に出力される。表示制御部６１３は、入力された画像保存ページ１３００を表示部６０５に表示させる。ユーザは、表示部６０５に表示された画像保存ページ１３００を確認する。ユーザが有料会員である場合、サムネイル１３０１の６枚の生成画像を全て画像管理サイトに保存することができる。ユーザは、生成画像を保存したい場合、入力部６０４を通じて、リンク画像１３０５を押下する。
【０１８９】
入力制御部６１２は、入力部６０４における選択入力を受け付け、リンク画像１３０５が選択されたことを通信制御部６１１に通知する。これを受けて、通信制御部６１１は、６枚のサムネイル１３０１に対応する６枚の生成画像を保存する指示（保存指示）を画像管理サーバ４に送信する（ステップＳ１８）。
【０１９０】
画像管理サーバ４の通信制御部４１１は、送信された保存指示を、通信部４０３を通じて受信する（ステップＳ１９、受信ステップ）。これにより通信制御部４１１は、保存指示の示すユーザが指定した生成画像（上述の例では、サムネイル１３０１の６枚の生成画像）の保存を、画像管理部４１４に指示する。画像管理部４１４は、この指示を受けて、一時保存データベースに格納されているユーザの生成画像の画像管理情報を生成し、生成した画像管理情報を対応付けた生成画像を、ユーザの会員ＩＤに関連付けて画像データベース４２４の該ユーザの記憶領域に保存する（ステップＳ２０、画像保存ステップ）。これにより、画像データベース４２４におけるユーザの画像記憶領域に、１プレイで生成された全ての生成画像が保存される。
【０１９１】
なお、ユーザが無料会員である場合、該ユーザは、全ての生成画像を保存したい場合、リンク画像１３０２を選択する。この場合、有料会員登録のための一連の処理が画像管理システム１０において行われる。そして登録が完了すると、全ての生成画像がユーザの会員ＩＤに関連付けられて画像データベース４２４に保存される。なお、保存する生成画像（無料会員であれば１枚の生成画像、有料会員であれば全ての生成画像）の選択は、写真シール作成装置１において受け付けられていてもよい。この場合には、画像管理部４１４は、写真シール作成装置１において選択されている生成画像を画像データベース４２４に保存すればよい。
【０１９２】
画像管理部４１４が生成画像を画像データベース４２４に保存すると、サイト処理部４１３は、保存完了ページを作成する。図２０は、保存完了ページの一例を示す図である。
【０１９３】
図２０に示すように、保存完了ページ１４００は、画像管理部４１４が画像データベース４２４に保存した生成画像のサムネイル１４０１（図示の場合は６枚のサムネイル）と、マイページ（詳細は後述）へのリンクテキスト１４０３と、ポイントサイトのポイントを獲得する処理を進めるためのポイント獲得ボタン１４０２と、を含む。図２０では、保存完了ページ１４００が６つのサムネイル１４０１を含み、６つの生成画像が保存された場合を示している。ユーザは、リンクテキスト１４０３を押下することにより、携帯端末６にマイページを表示させることができる。
【０１９４】
サイト処理部４１３は、作成した保存完了ページ１４００を通信制御部４１１に出力する。通信制御部４１１は、入力された保存完了ページ１４００を、通信部４０３を通じて携帯端末６に送信する（ステップＳ２１）。
【０１９５】
携帯端末６の通信制御部６１１は、通信部６０３を通じて保存完了ページ１４００を受信し、受信した保存完了ページ１４００を表示制御部６１３に出力する。表示制御部６１３は、入力された保存完了ページ１４００を表示部６０５に出力する（ステップＳ２２）。ユーザは、表示部６０５に表示された保存完了ページ１４００を確認することにより、画像管理サイトに保存された生成画像を確認することができる。
【０１９６】
（画像管理サービスとポイントサービス）
画像管理サーバ４の提供する画像管理サービスは、ポイントサーバ５の提供するポイントサービスと連携している。画像管理サーバ４およびポイントサーバ５はサービスを提供するために、それぞれ画像管理サイトと、ポイントサイトとを運営している。本実施形態では、画像管理サイトとポイントサイトとは連携しており、画像管理サイトのページからポイントサイトのページへ、または、ポイントサイトのページから画像管理サイトのページへとページ遷移が可能なサイトである。換言すると、画像管理サーバ４とポイントサーバ５とは互いのサーバに、各種ウェブページの作成を要求することができる。そして、画像管理サーバ４またはポイントサーバ５は前記要求を受けて作成したウェブページを携帯端末６に送信する。
【０１９７】
以下、図２１〜図２３を用いて、画像管理サイトおよびポイントサイトの主なページと、各サイトおよび各ページの繋がり（すなわち、ページ遷移先）について説明する。図２１は、本実施形態に係る画像管理サイトとポイントサイトとの関係、およびサイト間のページの遷移例を示す図である。点線および実線の矢印は、サイト間のページ遷移を示している。実線の矢印は、後述するポイント付与処理を行う場合のページ遷移の例を示しており、点線の矢印は、ポイント付与処理とは直接関係しないページ遷移の例を示している。なお、画像管理サイトおよびポイントサイトは、図２１に示す各サイトのページ以外のページおよび機能も備えていてもよい。
【０１９８】
画像管理サイトは、例えば、ログインページ１０００と、トップページ１１００と、マイページ１２００と、画像保存ページ１３００と、保存完了ページ１４００と、画像拡大ページ１５００とを含む。なお、ログインページ１０００、画像保存ページ１３００、および保存完了ページ１４００については、図１６〜２０の説明で述べたため、説明を繰り返さない。
【０１９９】
以下、図２２および図２３を用いて、各ページについて詳述する。図２２は、画像管理サイトの各種ページの具体例を示す図である。図２２の（ａ）はトップページ１１００を、図２２の（ｂ）はマイページ１２００を、図２２の（ｃ）は画像拡大ページ１５００を示す。これらのページは画像管理サーバ４のサイト処理部４１３が作成し、通信制御部４１１を介しユーザの携帯端末６に送信するページである。
【０２００】
（ログインページ１０００）
携帯端末６により画像管理サーバ４にログイン要求が送信されると、画像管理サーバ４はログインページ１０００を作成し、携帯端末６に送信する。ログインページ１０００において正規の会員ＩＤおよびパスワードが入力され、ログインボタン１００３が押下されると、携帯端末６から画像管理サーバ４に、次のページへの遷移要求が送信される。図１６にて説明した画像保存の流れで該遷移要求を送信する場合、携帯端末６は画像保存ページ１３００への遷移要求を画像管理サーバ４に送信する。画像管理サーバ４は該遷移要求に応じて、画像保存ページ１３００を作成し、携帯端末６に送信する。一方、画像保存の流れ以外で前記遷移要求を送信する場合（例えば、携帯端末６でブラウザを立ち上げて、画像管理サイトのＵＲＬを入力した場合）、携帯端末６は、トップページ１１００への遷移要求を画像管理サーバ４に送信する。画像管理サーバ４は該遷移要求に応じて、トップページ１１００を作成して携帯端末６に送信する。
【０２０１】
（トップページ１１００）
図２２の（ａ）は、画像管理サイトのトップページ１１００を示す図である。トップページ１１００には、例えば、シールＩＤでの画像保存ボタン１１０３と、ポイント獲得ボタン１１０４と、画像保存ボタン１１０５と、が含まれている。また、トップページ１１００には、ログインした会員ユーザまたは他のユーザが画像管理サイトに投稿した画像の一覧が表示されてもよい。また、トップページ１１００には、ログインした会員ユーザ（以下、ログインユーザ）が保存した画像が表示されてもよい。
【０２０２】
シールＩＤでのボタン１１０３は、付属の入力欄にシールＩＤを入力して押下することで、一時保存データベースに格納された生成画像（未保存の画像）であって、入力されたシールＩＤと紐づけられている生成画像を画像データベース４２４に保存するよう、携帯端末６から画像管理サーバ４に指示するためのボタンである。画像管理サーバ４は該指示を受け付けると、図１６のＳ１３以降と同様の流れで処理を行い、画像管理情報を対応付けた生成画像を、ユーザの会員ＩＤに関連付けて画像データベース４２４に保存する。
【０２０３】
画像保存ボタン１１０５は、ログインユーザのアカウントに紐付けられた、未保存の画像を保存するためのボタンである。携帯端末６において画像保存ボタン１１０５が押下されると、携帯端末６は画像管理サーバ４に、前記アカウントに紐付けられた未保存の画像を含む画像保存ページ１３００を作成するよう指示する。画像管理サーバ４は該指示を受け付けると、図１６のＳ１３以降と同様の流れで処理を行う。
【０２０４】
ポイント獲得ボタン１１０４は、画像管理サービスにおいて、ログインユーザのアカウントで、画像の撮影日時または保存日時から所定期間（第３の所定期間）内であり、かつポイント未付与な画像がある場合に表示されるボタンである。詳細は後述するが、ポイント獲得ボタン１１０４が押下されると、携帯端末６は画像管理サーバ４に、ポイントサイトのポイントの獲得を要求する（取得要求）。画像管理サーバ４は該取得要求に従い、ポイントサーバ５にユーザの認証情報等の必要な情報を送信し、ポイントサーバ５において前記ログインした会員ユーザと対応付けられた、ポイント会員のアカウントにポイントが付与される。
【０２０５】
（マイページ１２００）
携帯端末６において各種ページのマイページへのリンク１３０７または保存完了ページ１４００のリンク１４０３が押下されると、携帯端末６はマイページ１２００への遷移要求を画像管理サーバ４に送信する。画像管理サーバ４はマイページ１２００を作成し、携帯端末６に送信する。
【０２０６】
図２２の（ｂ）は、マイページ１２００を示す図である。マイページ１２００は、画像管理サイトの会員ユーザ毎の、固有のページである。マイページ１２００には、例えば、ログインユーザが保存した画像のサムネイル１２０５と、ポイント獲得ボタン１２０６と、画像管理サイトにおける各種設定を変更するためのボタン１２０４とが含まれている。ポイント獲得ボタン１２０６は、トップページ１１００のポイント獲得ボタン１１０４と同様の機能を有する。ポイント獲得ボタン１２０６は、画像データベース４２４に保存されてから、または写真シール作成装置１において作成されてから所定期間（第３の所定期間）内の画像に重畳して表示される。
【０２０７】
（画像拡大ページ１５００）
マイページ１２００においてサムネイル１２０５のいずれかが押下されると、携帯端末６は、画像拡大ページ１５００への遷移要求を画像管理サーバ４に送信する。画像管理サーバ４は該遷移要求に応じて、画像拡大ページ１５００を作成して携帯端末６に送信する。なお、トップページ１１００にログインユーザが保存した画像が表示される場合、携帯端末６は該画像が押下された場合に、画像管理サーバ４に画像拡大ページ１５００への遷移要求を送信してもよい。
【０２０８】
図２２の（ｃ）は、画像拡大ページ１５００を示す図である。画像拡大ページ１５００は、選択された画像を拡大表示するためのページである。生成画像を拡大表示することにより、ユーザは自分が被写体となった生成画像を詳細に確認することができる。画像拡大ページ１５００は例えば、拡大表示された画像（拡大画像）１２０５Ａと、ポイント獲得ボタン１２０６と、ダウンロードボタン１５０１と、を含んでいる。
【０２０９】
ポイント獲得ボタン１２０６は、トップページ１１００およびマイページ１２００のポイント獲得ボタンと同様の機能を有する。画像拡大ページ１５００において、ポイント獲得ボタン１２０６は、拡大画像１２０５Ａに重畳して表示される。これにより、ユーザに拡大画像を確認させてからポイント獲得のための入力操作に自然に誘導することができる。また、ユーザに、画像を保存すると、ポイントを獲得する権利が与えられることを明示することができる。そのため、ユーザに次回以降のゲームで作成した画像を、画像管理サーバ４に保存させる動機付けができる。
【０２１０】
ダウンロードボタン１５０１は、拡大画像１２０５Ａの画像データを携帯端末６にダウンロードするためのボタンである。ダウンロードボタン１５０１が押下されると、携帯端末６は画像管理サーバ４に拡大画像１２０５Ａに対応する生成画像のダウンロードを要求する。画像管理サーバ４の通信制御部４１１は通信部４０３を介して該要求を受信し、該要求を画像管理部４１４に送信する。画像管理部４１４は、画像データベース４２４から拡大画像１２０５Ａに対応する画像データを読み出し、通信制御部４１１および通信部４０３を介し、携帯端末６に送信する。携帯端末６の制御部６０１は該画像データを受信し、該画像データを記憶部６０２に格納する。
【０２１１】
また、画像拡大ページ１５００は、スクロールボタン１５０２を含んでいても良い。スクロールボタン１５０２は、拡大画像を、マイページ１２００におけるサムネイル１２０５の表示順でスクロールさせる（画像を切替える）ためのボタンである。また、画像拡大ページ１５００には、拡大画像に関する情報（例えば、拡大画像の保存日および該画像を作成した写真シール作成装置１の機種）１５０４および該拡大画像を画像データベース４２４から削除するための削除ボタン１５０５が含まれていてもよい。
【０２１２】
（ポイントサイトの各種ページ）
図２３は、ポイントサイトの各種ページの具体例を示す図である。図２３の（ａ）はログインページ２０００を、図２３の（ｂ）はポイント獲得完了ページ２１００を、図２３の（ｃ）はトップページ２２００を示す。これらのページはポイントサーバ５のポイントサイト処理部５１３が作成し、通信制御部５１１を介しユーザの携帯端末６に送信するページである。
【０２１３】
（ログインページ２０００）
携帯端末６においてポイントサイトへのログインが済んでいない場合、画像管理サーバ４は、ポイントサーバ５に対し、ログインページ２０００を作成するよう指示する。ポイントサーバ５はログインページ２０００を作成し、携帯端末６に送信する。これにより、ユーザは、携帯端末６に表示された画像管理サイトでポイント獲得ボタンを押下することで、画像管理サイトからポイントサイトのログインページへページを遷移させることができる。
【０２１４】
ログインページ２０００は、ポイントサイトへログインするためのページである。図２３の（ａ）に示すように、ログインページ２０００には、少なくとも、ログインボタン２００１、または会員ＩＤおよびパスワードの入力欄２００２およびログインボタン２００３のいずれか一方が含まれる。なお、ログインボタン２００１は、ユーザが画像管理サイトにログイン済である場合に表示される。携帯端末６でログインボタン２００１が押下されると、携帯端末６はポイントサーバ５に対し、画像管理サイトにログインした際の会員ＩＤおよびパスワードを送信する。ポイントサーバ５の通信制御部５１１は通信部５０３を介し該情報を受信し、ポイント会員管理部５１２に出力する。ポイント会員管理部５１２は該情報が入力されると、前記会員ＩＤおよびパスワードで、会員データベース５２１を照会する。一方、ログインボタン２００３が押下された場合、携帯端末６は、入力欄２００２に入力された会員ＩＤおよびパスワードで、会員データベース５２１を照会する。これらの照会の結果、会員データベース５２１に該会員ＩＤおよびパスワードのユーザアカウントが存在する場合、ポイント会員管理部５１２は該アカウントが示すポイント会員がログインしたと判定する。
【０２１５】
（ポイント獲得完了ページ２１００）
携帯端末６においてトップページ１１００、マイページ１２００、保存完了ページ１４００、および画像拡大ページ１５００のポイント獲得ボタンが押下された場合、かつ携帯端末６においてポイントサイトへのログインが完了している場合、画像管理サーバ４のサイト処理部４１３は、ポイントサーバ５に対し、ポイントサイトにログインしたユーザアカウントに対し、ポイントを付与するよう指示する。このとき、サイト処理部４１３は付与するポイントの数量も指示してもよい。ポイントサーバ５のポイント会員管理部５１２は、該指示を受けて、前記ユーザアカウントに、所定量のポイントを付与する。具体的には、会員管理部５１４は、会員データベース５２１に記録された前記ユーザアカウントの会員情報の、累計ポイントを所定量増加させる。ポイントの付与が完了すると、ポイント会員管理部５１２はポイントサイト処理部５１３にポイント獲得完了ページ２１００を作成するよう指示する。
【０２１６】
図２３の（ｂ）に示すように、ポイント獲得完了ページ２１００は、例えば、獲得ポイントの表示２１０２と、ポイント交換ボタン２１０３と、閉じるボタン２１０４とを含んでいてもよい。また、ポイント獲得完了ページ２１００は独立したページではなく、後述するトップページ２２００等、ポイントサイトの各種ページに重畳表示されるウィンドウ２１０１であってもよい。
【０２１７】
ポイント交換ボタン２１０３は、ポイントサイトにログインしているユーザアカウントの累計ポイントを、何らかの金品またはサービス等と交換するためのボタンである。該ボタンが押下された場合、ポイントサーバ５は、交換可能な金品またはサービス等をページまたはウィンドウ等で表示させ、該ページを介しユーザが金品またはサービスを選択した場合、ポイントと金品またはサービスとを交換する。
【０２１８】
閉じるボタン２１０４は、ポイント獲得完了ページ２１００またはポイント獲得完了ページ２１００のウィンドウ２１０１を閉じるボタンである。
【０２１９】
（トップページ２２００）
画像管理サイトを経由せずにログインページ２０００からポイントサイトにログインした場合、サイト処理部４１３はトップページ２２００を作成し、携帯端末６に送信する。図２３の（ｃ）に示すように、トップページ２２００は、画像管理サイトへのリンク２２０２を含んでいてもよい。なお、該リンクには、図示のように画像管理サイトを経由してポイントを獲得する方法が記載されていることが望ましい。
【０２２０】
また、トップページ２２００は、ポイントを消費して懸賞に応募するための応募ボタン２２０５、ポイントと金品またはサービスを交換するための交換ボタン２２０６、ポイントサイトのユーザ専用のマイページ（図示せず）に遷移するためのボタン２２０７、および現在のユーザの累計ポイント２２０８を含んでいてもよい。また、トップページ２２００は、現在応募可能な懸賞の一覧２２０１と、ポイント付与の対象となるユーザの動作と、該動作による獲得ポイントの一覧２２０３を含んでいてもよい。また、トップページ２２００は、ポイントと交換できる金品およびサービスの一覧２２０４を含んでいてもよい。
【０２２１】
図２４は、画像管理サーバ４およびポイントサーバ５におけるポイント付与に係る処理の流れを示すフローチャートである。画像管理サーバ４の画像管理部４１４は、制御部４０１が上述したトップページ１１００、マイページ１２００、画像保存ページ１３００、および画像拡大ページ１５００のいずれかのページへの遷移指示を携帯端末６から受信した場合（Ｓ１００）、画像データベース４２４を照会し、携帯端末６でログインしている会員ユーザが保存した画像のうち、撮影日時から（または保存日時から）所定期間（第３の所定期間）内、かつポイント未付与の画像があるか否かを判定する（Ｓ１０２）。
【０２２２】
より詳しくは、画像管理部４１４は、ログインユーザの画像管理情報の画像ＩＤに含まれる撮影日時（または、画像管理情報の保存日時）が、現在から第３の所定期間内（例えば、１週間以内）である画像のレコードを抽出する。さらに、画像管理部４１４は、該レコードのうち、ポイント付与フラグが０のレコードを抽出する。
【０２２３】
前記レコードが存在しない場合、すなわち、撮影日時から（または保存日時から）第３の所定期間内、かつポイント未付与の画像がない場合（Ｓ１０２でＮＯ）、画像管理部４１４はサイト処理部４１３に対し、ポイント獲得ボタンを含まないページを作成するよう指示する。サイト処理部４１３はポイント獲得ボタンを含まないページを作成し、携帯端末６に送信する。したがって、ポイントの付与は行われない。
【０２２４】
一方、前記レコードが１つ以上存在する場合、すなわち、撮影日時から（または保存日時から）第３の所定期間内、かつポイント未付与の画像がある場合（Ｓ１０２でＹＥＳ）、画像管理部４１４はサイト処理部４１３に対し、ポイント獲得ボタン（図２２の（ａ）の１１０４、図２２の（ｂ）または（ｃ）の１２０６、または図２０の１４０２）を含むページを作成するよう指示する。サイト処理部４１３は該指示を受けた場合、ポイント獲得ボタンを含むページを作成する（Ｓ１０４）。サイト処理部４１３は通信制御部４１１および通信部４０３を介し、携帯端末６にポイント獲得ボタンを含んだページを送信する。携帯端末６の表示制御部６１３は、該ページを表示部６０５に表示させる。
【０２２５】
ユーザが入力部６０４を介し、前記ページのポイント獲得ボタンを選択（押下）すると、携帯端末６の制御部６０１は、画像管理サーバ４に対し、ポイントサイトのポイントを獲得する旨の指示（ポイント獲得指示、有価データの取得指示）を送信する。画像管理サーバ４のサイト処理部４１３はポイント獲得指示を受信すると（Ｓ１０６）、ポイントサーバ５に対し、ポイントサイトのポイントを付与するよう指示する（Ｓ１０８、付与指示ステップ）。このとき、画像管理サーバ４はポイント付与指示とともに、アクセストークンをポイントサーバ５に送信する。
【０２２６】
また、画像管理サーバ４の画像管理部４１４は、ポイント付与の対象となる（ポイントサーバ５において今からポイントを付与しようとしている）画像の画像ＩＤを記憶しておく。なお、画像管理部４１４は、ポイント付与の対象となる画像が特定できるのであれば、画像ＩＤの一部分のみを記憶していても構わない。また、画像管理部４１４は、画像が特定できるのであれば、シールＩＤ等他の識別子によって画像を特定しても構わない。
【０２２７】
例えばマイページ１２００および画像拡大ページ１５００のポイント獲得ボタン１２０６が押下された場合は、「ポイント付与の対象となる画像」は、該ボタンが重畳表示されていたサムネイルに対応する１枚の画像である。また、保存完了ページ１４００のポイント獲得ボタン１４０２が押下された場合は、「ポイント付与の対象となる画像」は、保存完了ページ１４００に表示されているサムネイルに対応する各画像である。図２０に示した保存完了ページ１４００の場合は、画像管理部４１４は、サムネイル１４０１が示す６枚の画像の画像ＩＤを記憶しておく。
【０２２８】
また、トップページ１１００のポイント獲得ボタン１１０４が押下された場合、画像管理部４１４は、「ポイント付与の対象となる画像」として、保存日時または撮影日時から所定期間内（第３の所定期間内）、かつ、ポイント未付与の画像全ての画像ＩＤを記憶しておいてもよい。つまり、画像管理部４１４は、Ｓ１２０で特定したレコード全てに対応する画像ＩＤを記憶してもよい。
【０２２９】
また、ポイント獲得ボタン１１０４が押下された場合、画像管理部４１４は、「ポイント付与の対象となる画像」として、直近に撮影した（撮影日時が最新の）１枚以上の画像、または直近に保存した（保存日時が最新の）１枚以上の画像の画像ＩＤを記憶しておいてもよい。
【０２３０】
本実施形態に係る画像管理サービスの場合、無料会員の場合は１プレイにつき１枚の生成画像を保存可能である。また、有料会員の場合は１プレイで撮影した全ての生成画像を保存可能である。したがって、ポイント付与の対象となる画像の枚数は、ユーザの会員属性によって変化するといえる。
【０２３１】
なお、前記第３の所定期間は、ユーザが画像管理サービスに会員登録されているか否かによって変化してもよい。また、第３の所定期間は、画像管理サービスにおけるユーザの会員属性によって変化してもよい。より具体的には、第３の所定期間は、ユーザが画像管理サービスに会員登録されている場合、会員登録されていない場合に比べて長い期間に設定されてもよい。また、第３の所定期間は、ユーザが有料会員である場合、無料会員である場合に比べて長い期間に設定されてもよい。さらに、通常の有料会員よりも高額な会費を支払うプレミアム会員が会員属性として存在する場合、第３の所定期間は、ユーザがプレミアム会員である場合、ユーザが通常の有料会員である場合よりも長い期間に設定されてもよい。また、有料会員またはプレミアム会員の場合、第３の所定期間は、無制限の期間（すなわち、永久）であってもよい。また、第３の所定期間は、無期間であっても構わない。すなわち、画像管理サーバ４は第１の所定期間または第２の所定期間が経過した場合、第３の所定期間も経過したと判断してもよい。この場合、例え生成画像を保存済であったとしても、第１の所定期間または第２の所定期間が過ぎれば、該画像についてポイントを獲得することが出来ないこととなる。これにより、ユーザに生成画像を早期に保存するよう促すことができる。
【０２３２】
ポイントサーバ５のポイントサイト処理部５１３は該指示およびアクセストークンを、通信部５０３および通信制御部５１１を介し受信する（Ｓ１１０）。ポイントサイト処理部５１３は、アクセストークンに含まれる携帯端末６の認証情報から、携帯端末６からポイントサイトにログイン済みであるか否かを判定する（Ｓ１１２）。
【０２３３】
ログイン済でない場合（Ｓ１１２でＮＯ）、ポイントサイト処理部５１３は、ログインページ２０００を作成し、携帯端末６に送信する（Ｓ１１４）。携帯端末６に表示されたログインページ２０００においてユーザがログインボタン２００１または２００３を押下すると、携帯端末６からポイントサーバ５のポイント会員管理部５１２に会員ＩＤおよびパスワードが送信される。ポイント会員管理部５１２は、会員データベース５２１を参照することで、該会員ＩＤおよびパスワードがポイント会員のものと一致するか判定する。これにより、ポイント会員管理部５１２はログインを試みたユーザがポイント会員か否かを判定する（Ｓ１１６）。
【０２３４】
ユーザがポイント会員でない場合（Ｓ１１６でＮＯ）、ポイント会員管理部５１２はポイントサイト処理部５１３にログインエラーを示すページを作成するよう指示し、ポイントサイト処理部５１３は該ページを携帯端末６に送信する。この場合、ポイント付与は行われない。
【０２３５】
一方、ユーザがポイント会員である場合（Ｓ１１６でＹＥＳ）、ポイント会員管理部５１２は、ログインしたポイント会員のアカウントにポイントを付与する（Ｓ１１８）。具体的には、ポイント会員管理部５１２は、会員データベース５２１の該ユーザのポイント会員情報を読出し、該ポイント会員情報に含まれる、累計ポイントを所定量増加させる。ポイント会員管理部５１２はポイントの付与が完了すると、ポイントサイト処理部５１３に、ポイント獲得完了ページ２１００を作成するよう指示する。ポイントサイト処理部５１３は、ポイント獲得完了ページ２１００を作成し、携帯端末６に送信する（Ｓ１２０）。また、ポイントサイト処理部５１３は、画像管理サーバ４に対し、ポイント付加を完了した旨を通知する（Ｓ１２２）。画像管理サーバ４の画像管理部４１４は該通知を受信すると、画像データベース４２４の、ログインユーザの画像管理情報のうち、Ｓ１０８で記憶していた画像ＩＤが示すレコードの、ポイント付与フラグを０から１に更新する。これにより、該画像ＩＤが示す画像について、ポイントサイトでポイントが付与済となったことが記録される。
【０２３６】
前記の処理によれば、ユーザは、画像管理サイトにて画像を保存した後に各種ページに表示されるポイント獲得ボタンを押下することで、ポイントサイトで利用できるポイントを獲得できる。換言すると、画像管理サーバ４は、画像管理サイトを利用したユーザに、本来の画像管理サービスに加え、ポイントサイトのポイント獲得という付加的なメリットを与えることができる。これにより、画像管理サーバ４は、ユーザの画像管理サイトの利用を促進することができる。
【０２３７】
なお、ポイント会員管理部５１２は、携帯端末６に画像を送信した場合（すなわち、携帯端末６が画像をダウンロードした場合）に、該画像をポイント付与の対象となる画像と判断し、該画像の画像ＩＤを記憶するとともに、該画像についてポイントサーバ５にポイント付与を指示してもよい。この場合の、ポイントサーバ５におけるポイント付与の処理の流れ、およびポイント付与完了の通知を受けた画像管理サーバ４の処理の流れは、上述したフローチャートの流れと同様である。
【０２３８】
これにより、ユーザは携帯端末６に画像をダウンロードするだけで、ポイントサイトで利用できるポイントを貯めることができる。したがって、ポイント獲得に係るユーザの手間を省くことができる。また、ゲームの結果手に入れた画像を携帯端末６にダウンロードするよう、ユーザに促すことができる。そのため、ユーザに次回写真シール作成装置１のゲームをプレイする動機を与えることができる。
【０２３９】
なお、前記では、画像管理サイトおよびポイントサイトの各種ページの表示が、携帯端末６においてブラウザによって行われる例について説明した。しかしながら、これらのサイトの各種ページの機能は、専用アプリによって提供されてもよい。この場合、ページの表示は、携帯端末６において専用アプリが立ち上げられ、ユーザによって各種ページの表示指示の入力がなされることによって行われる。各種ページの表示指示入力が行われると、専用アプリによってログオン処理が行われ、ログオン情報が画像管理サーバ４またはポイントサーバ５に送信される。ログオン処理が正常に完了すると、専用アプリによって画像管理サイトまたはポイントサイトの各種ページに相当する画面が携帯端末６において表示される。なお、画像管理サイトのアプリと、ポイントサイトのアプリとは一体であっても別個であってもよい。
【０２４０】
以上では、画像管理サーバ４は、携帯端末６からポイント獲得指示を受信した場合に（図２４のＳ１０６）、ポイントサーバ５にポイント付与指示を送信することとして、説明を行った。しかしながら、本実施形態に係る画像管理サーバ４において、Ｓ１００〜Ｓ１０６の処理は必須ではない。例えば、画像管理サーバ４は、携帯端末６から保存指示を受信し（図１６のＳ１９）、該指示に従い生成画像を保存するタイミングで（図１６のＳ２０）、ポイントサーバ５にポイント付与指示を送信してもよい（図２４のＳ１０８）。この場合、画像管理サーバ４の画像管理部４１４は、生成画像を保存したタイミングで、保存した生成画像の画像ＩＤを記憶しておく。以降の処理は、図２４のＳ１１０〜１２４と同様である。
【０２４１】
また、以上では、ユーザが写真シール作成装置１においてゲームをプレイした後、画像管理サーバ４から携帯端末６に送られてくる案内メールに従って画像を保存する流れについて説明したが、生成画像の保存の流れはこれに限られない。
【０２４２】
例えば、写真シール作成装置１のゲームプレイが終了した後、ユーザが携帯端末６を介し画像管理サイトにアクセスして画像の保存を試みても良い。この場合、該アクセス後に携帯端末６に表示される画像管理サイトのページに、未保存の画像を表示する旨の指示を受け付けるボタン（表示ボタンと称する）を表示させる。ユーザが携帯端末６を介し表示ボタンを選択した場合、携帯端末６は図１６のＳ１７と同様に、画像管理サーバ４に画像保存ページ１３００を要求し、画像管理サーバ４は画像保存ページ１３００を送信すればよい。以降の処理は、図１６の流れと同様である。
【０２４３】
さらに、画像管理サーバ４は、携帯端末６から上述した表示ボタンが選択された旨の指示を受信した場合に、ポイントサーバ５にポイント付与を指示してもよい。換言すると、画像管理サーバ４は、携帯端末６から、保存指示を受信する前の段階の、画像を保存するための諸指示を受信したタイミングで、ポイントサーバ５にポイント付与を指示してもよい。この場合、画像管理サーバ４の画像管理部４１４は、後に携帯端末６から保存指示を受信した時点で、ポイント付与の対象となる画像の画像ＩＤ（またはシールＩＤ）を特定し、記憶すればよい。
【０２４４】
〔実施形態２〕
画像管理サーバ４のサイト処理部４１３（識別子判定部）は、ポイント獲得指示を受信したときに（図２４のＳ１０６でＹＥＳ）、ポイント付与指示をポイントサーバ５に送信するのではなく、ユーザにシールＩＤの入力を要求してもよい。以下、本開示の実施形態２について説明する。なお、説明の便宜上、実施形態１にて説明した部材と同じ機能を有する部材については、同じ符号を付記し、その説明を省略する。
【０２４５】
本実施形態に係る画像管理部４１４は、生成画像を画像データベース４２４に保存する際に、一時保存データベースにおいて該生成画像と対応付けられていたシールＩＤ（画像識別子）を、画像管理情報に加えて保存する。これにより、生成画像に対し、該生成画像のシールＩＤが対応付けられたまま、画像データベース４２４への保存が完了する。換言すると、本実施形態に係る画像データベース４２４に格納された画像管理情報は、実施形態１において説明した情報に加え、シールＩＤを示す情報を含んでいる。
【０２４６】
図２５は、実施形態２に係る画像管理サイトのトップページを示す図である。図２５の（ａ）に示すように、本実施形態に係る画像管理サイトのトップページ１１００は、ポイント獲得ボタン１１０４の代わりに、シールＩＤ入力ボタン３０００を含む。携帯端末６において、シールＩＤ入力ボタン３０００が押下されると、携帯端末６は画像管理サーバ４に対し、シールＩＤを入力するためのウィンドウをポップアップさせる（またはページへ遷移させる）よう指示する。画像管理サーバ４のサイト処理部４１３は該指示を受信すると、図２５の（ｂ）に示すような、シールＩＤを入力するためのポップアップウィンドウ３１００（またはシールＩＤを入力するためのページ）を作成し、携帯端末６に送信する。携帯端末６の表示制御部６１３は受信したウィンドウ（またはページ）を表示部６０５に表示させる。
【０２４７】
図２５の（ｂ）に示すように、ポップアップウィンドウ３１００は、例えば、シールＩＤの入力欄３１０１と、シールＩＤの入力をキャンセルするためのキャンセルボタン３１０２と、入力欄３１０１に入力したシールＩＤに対応付けられた画像について、ポイントの獲得を指示するためのポイント獲得ボタン３１０３とを含む。
【０２４８】
入力欄３１０１にシールＩＤが入力された状態で、ポイント獲得ボタン３１０３が押下されると、携帯端末６は、入力されたシールＩＤと、ポイント獲得指示とを画像管理サーバ４に送信する。画像管理サーバ４のサイト処理部４１３は該指示を受信すると、画像データベース４２４に保存された生成画像に対応付けられているシールＩＤのうちいずれかと、前記ユーザの入力したシールＩＤとが一致するか否かを判定する。一致する場合、サイト処理部４１３はポイントサーバ５に対し、ポイントサイトのポイントを付与するよう指示する（図２２のＳ１０８）。このとき、画像管理部４１４は、画像データベース４２４においてシールＩＤと対応付けられている画像の画像ＩＤを記憶しておく。以降の処理は、実施形態１の図２２のＳ１１０以降の処理と同様である。一方、入力されたシールＩＤが、いずれの生成画像のシールＩＤとも一致しない場合、サイト処理部４１３は、Ｓ１０８の処理を行わず、例えばエラーメッセージ等を作成し、携帯端末６に送信する。
【０２４９】
以上の処理によれば、ユーザは画像を保存してから画像管理サイトにおいてシールＩＤを入力することで、該シールＩＤに紐付けられた画像についてポイントを獲得することができる。したがって、画像管理サーバ４は、ユーザの画像管理サイトの利用を促進することができる。
【０２５０】
なお、画像管理情報に含まれるシールＩＤ（すなわち、保存済の生成画像についてのシールＩＤ）は、ポイント獲得に使用できる有効期間が定められていてもよい。例えば、ユーザが画像管理情報に含まれる撮影日時、または生成画像が保存された日時から１週間以上過ぎたシールＩＤを入力してポイント獲得を試みても、無効になるようにしてもよい。より具体的には、サイト処理部４１３は、生成画像に対応付けられているシールＩＤのうちいずれかと、前記ユーザの入力したシールＩＤとが一致するか否かを判定する前または後に、生成画像の作成日時または保存日時を確認し、該生成画像に対応付けられているシールＩＤが有効か否かを判定してもよい。そして、有効でないと判定した場合は、ポイント付与に係る処理を行わないこととすればよい。
【０２５１】
また、上述したように、シールＩＤは写真シール作成装置１の１度の使用で（１ゲームで）作成される画像群について、複数個（複数種類）付与されていてもよい。この場合、複数個のシールＩＤのうちいずれかのシールＩＤと、ユーザが入力したシールＩＤとが一致した場合に、サイト処理部４１３はポイント付与指示をポイントサーバ５に送信してよい。これにより、ゲームを複数人でプレイした場合でも、付与されているシールＩＤの個数分だけの人数のユーザが、ポイントを獲得することができる。
【０２５２】
また、シールＩＤには、画像の保存のために使用できる使用期限、またはポイントが獲得できる有効期間が設定されていてもよい。この使用期限および有効期間は、例えば、シールＩＤに含まれる撮影日時に基づいて特定してもよい。このようにシールＩＤに使用期限または有効期限を設定することで、シールＩＤは永久に有効なものではなくなるため、ユーザに再度ゲームを行う動機を与えることができる。
【０２５３】
なお、シールＩＤがＱＲコード等の２次元情報である場合、該ＱＲコードに画像管理サイトのページへのアドレス（例えば、ログインページ１０００または画像保存ページ１３００へのアドレス等９）を含めておき、携帯端末６が該ＱＲコードを読み取った場合に、画像管理サイトに誘導してもよい。
【０２５４】
〔実施形態３〕
前記各実施形態に係るポイントサーバ５は、ポイント交換サービスにおいて、所定量のポイントと交換に、写真シール作成装置１のプレイ代金を無料または減額してもよい。図２６は、本実施形態に係るポイントサーバ５および携帯端末６における処理の流れを示す図である。
【０２５５】
携帯端末６は、ポイント獲得完了ページ２１００またはトップページ２２００を表示している際に、これらのページに含まれる、ポイント交換を指示するボタンが押下されると、ポイントサーバ５のポイントサイト処理部５１３に、ポイント交換に係るページ（図示せず）に遷移するよう指示する（Ｓ２００）。ポイントサイト処理部５１３は該指示を受信し（Ｓ２０２）ポイント交換に係るページを作成し、携帯端末６に送信する（Ｓ２０４）。ポイント交換に係るページには、ポイントと交換可能な金品およびサービスの一覧が表示されている。該一覧には、写真シール作成装置１におけるプレイ代金の減額または無料化のサービスも含まれている。携帯端末６は該ページを表示する（Ｓ２０６）。携帯端末６において、ユーザによりプレイ代金の減額または無料化のサービスが選択された場合、携帯端末６は選択された該サービスを示す情報と、ポイント交換指示とをポイントサーバ５に送信する（Ｓ２０８）。ポイントサーバ５のポイント会員管理部５１２は該指示を受信し（Ｓ２１０）、携帯端末６のポイント会員ユーザのポイント会員情報に含まれる、該ユーザの累計ポイントから前記サービスとの交換に必要な分のポイントを差し引く（Ｓ２１２）。そして、ポイントサーバ５のポイントサイト処理部５１３は、写真シール作成装置１のプレイ代金の減額または無料化のクーポンをポイントサイト上で発行する（Ｓ２１４）。
【０２５６】
以降、ポイント会員ユーザは交換したクーポンを好きな時にポイントサイト上で表示させることができる。該クーポンは、該クーポンが表示された携帯端末６を写真シール作成装置１が設置された店舗で提示することにより利用可能なものであってもよい。また、クーポンは、該クーポンに表示されたコード等を写真シール作成装置１で読み取る、または携帯端末６と写真シール作成装置１とが近距離通信等を行い、携帯端末６からクーポンの情報を写真シール作成装置１に送信することにより利用可能であってもよい。
【０２５７】
なお、ポイントサイト処理部５１３はポイントサイト上でクーポンを表示する代わりに、例えばトップページ２２００等にクーポン発行ボタンを表示させてもよい。そして、ポイントサイト処理部５１３は携帯端末６において該ボタンが押下され、該ボタンが押下された旨を携帯端末６から受信した場合、該クーポンを発行する旨の指示であると判断してもよい。該指示を受信したと判断した場合、ポイントサイト処理部５１３は、該クーポンを一意に示す識別番号を生成し、該番号をポイントサイトのページ（例えば、トップページ２２００）に表示させてもよい。そして、ユーザがこの識別番号を写真シール作成装置１において入力した場合に、写真シール作成装置１は該ユーザにゲームを無料で提供してもよい。
【０２５８】
〔実施形態４〕
前記各実施形態では、会員ユーザが画像管理サービスにおいて画像を保存した場合に、該画像についてポイントを獲得する権利が生じる構成であった。しかしながら、本開示に係る画像管理システム１０は、画像管理サービス上の他の機能をユーザが利用したことを契機として、ポイントサービスで利用可能なポイントを付与してもよい。これにより、ユーザに画像管理サービスの画像保存以外の種々の機能の利用も促すことができる。
【０２５９】
例えば、画像管理サーバ４は、ＳＮＳ（Social Networking Service）機能を有し、画像管理サービスを含むユーザ間のデータ通信によるコミュニケーションサービスを提供してもよい。例えば、画像管理サーバ４は、ユーザが保存した生成画像を利用してオンライン上で他のユーザとコミュニケーションをとることができるようなサービスを提供してもよい。具体的には、画像管理サーバ４は画像管理サイトとして、ユーザ自身のアルバムおよび特定の他のユーザが公開しているアルバム（公開アルバム）が時系列で掲載されているタイムラインページ、あるユーザが他のユーザに対して自分の写真画像や投稿記事などを公開しているページである個人ページ等を提供してもよい。
【０２６０】
例えば、画像管理サーバ４は、画像の編集機能（所謂「落書き」機能）、画像から動画を作成する機能、画像、動画、およびコメント等を含む記事をサイトに投稿する機能、および、画像をまとめた電子アルバムを作成する機能等を有していてもよい。この場合、画像管理サーバ４は、画像管理サイト（またはアプリ）上で、会員ユーザが前記機能のいずれかを利用した場合に、ポイントサーバ５に対しポイント付与指示を送信してもよい。この場合、ポイントサーバ５におけるポイント付与までの処理の流れは、図２２のＳ１１０〜Ｓ１２２と同様である。
【０２６１】
一例として、画像管理サービスがおける記事の投稿について説明する。画像管理サービスが画像の投稿機能を有する場合、画像管理サーバ４の記憶部４０２は、ユーザ毎の投稿履歴を記憶している。投稿履歴は、ユーザが投稿した記事の内容（画像、動画、およびコメントを特定する情報）と、投稿日時とを対応付けた情報である。なお、以降の説明ではユーザが画像を記事として自発的に投稿した場合について説明する。しかしながら、該記事は、ユーザの画像管理サイト上での動作（例えば、アルバムの作成、画像の保存、および他のユーザのフォロー等）によって自動的に作成され投稿されるものであってもよい。
【０２６２】
画像管理サーバ４のサイト処理部４１３は、例えば、ユーザの投稿を受け付けるためのページ（投稿ページ）と、投稿を閲覧するためのページ（投稿閲覧ページ）とを作成する機能を有する。ユーザは携帯端末６を介し、該ページにおいて投稿内容（投稿する画像、動画、またはコメント等）を選択または入力し、投稿を指示する。携帯端末６は投稿が指示された場合、画像管理サーバ４に選択または入力された投稿内容を示す情報を送信する。画像管理サーバ４の制御部４０１は該情報に、該情報を受信した日時を投稿日時として対応付けて、投稿履歴として記憶部４０２に保存する。以降、ユーザは携帯端末６を介し、投稿閲覧ページを閲覧することで、自分の投稿した記事を確認することができる。なお、投稿閲覧ページには、時系列で、他のユーザが投稿した記事も表示されていてもよい。
【０２６３】
また例えば、画像管理サーバ４は、前記種々の機能の利用形態によって、付与するポイントの数量を変化させてもよい。例えば、画像管理サーバ４が、ユーザにより記事の投稿が指示された場合にポイントサーバ５にポイント付与指示を送信する場合を仮定する。この場合、画像管理サーバ４のサイト処理部４１３は、投稿された記事に含まれる画像が、写真シール作成装置１での生成画像であるか否かを示す情報をポイントサーバ５に送信し、ポイントサーバ５のポイントサイト処理部５１３は、該情報に応じて、付与するポイントの数量を変化させてもよい。より具体的に言えば、ポイントサーバ５は写真シール作成装置１での生成画像が含まれる記事が投稿された際は、生成画像でない画像が含まれる記事が投稿された場合よりも多いポイントを付与することが望ましい。このように、生成画像を投稿した場合に、より多くポイントが獲得できるようにすることで、ユーザに生成画像の投稿を促すことができる。さらに、投稿する生成絵画像を作成する、すなわち写真シール作成装置１でのゲームプレイをするように促すことができるため、ユーザがゲームをプレイする回数を増加させることができる。
【０２６４】
〔変形例〕
前記各実施形態に記載のポイントサーバ５において、ポイント会員管理部５１２は、ユーザの画像管理サービスでの会員属性に応じて、１度に付与するポイントの量を変化させてもよい。この場合、ポイントサーバ５は、画像管理サーバ４からポイントを付与する旨の指示とともに、該ポイント付与の対象となるユーザが画像管理サービス上で会員であるか否かと、会員属性（例えば、有料会員、無料会員）とを示す情報を受信する。そして、ポイント会員管理部５１２は、該情報に応じたポイントを付与する。
【０２６５】
より具体的には、ポイント会員管理部５１２は、非会員、無料会員、有料会員の順で付与するポイントの量が多くなるようにしてもよい。また、非会員と無料会員では、付与されるポイントの量は同じでもよい。このようにポイントの獲得可能な量に差をつけることで、ユーザに有料会員登録するよう促すことができる。
【０２６６】
また、画像管理サーバ４の画像管理部４１４は、ポイントサーバ５にポイント付与を指示する場合、ポイント付与の対象となる画像それぞれの、第３の所定期間（すなわち、ポイントの取得期限）の満了までの残り期間を特定し、ポイントサーバ５に該残り期間を通知してもよい。そして、ポイントサーバ５のポイント会員管理部５１２は、画像管理サーバ４から受信した該残り期間に応じたポイントを、ユーザに付与してもよい。より具体的には、ポイント会員管理部５１２は、残り期間が長いほど、ポイントを多く付与してもよい。例えば、第３の所定期間が１週間である場合、残り期間が５日以上である場合は２０ポイント、５日未満２日以上である場合は１０ポイント、２日未満である場合は５ポイントを付与してもよい。また、ポイント付与対象のポイント会員ユーザが画像管理サービスで非会員である場合は、このような残り期間に応じたポイントの増加は行わなくてもよい。
【０２６７】
このように、残り期間が長い、すなわち早くポイント付与を指示すればポイントを多く付与する仕様とすることにより、ユーザに、早期ポイント獲得のため画像の早期保存を促すことができる。これにより、ユーザは保存した画像を早くから、すなわち長い期間閲覧することができる。
【０２６８】
〔ソフトウェアによる実現例〕
写真シール作成装置１、画像管理サーバ４、ポイントサーバ５、および携帯端末６の制御ブロックは、集積回路（ＩＣチップ）等に形成された論理回路（ハードウェア）によって実現してもよいし、ソフトウェアによって実現してもよい。
【０２６９】
後者の場合、写真シール作成装置１、画像管理サーバ４、ポイントサーバ５、および携帯端末６は、各機能を実現するソフトウェアであるプログラムの命令を実行するコンピュータを備えている。このコンピュータは、例えば１つ以上のプロセッサを備えていると共に、前記プログラムを記憶したコンピュータ読み取り可能な記録媒体を備えている。そして、前記コンピュータにおいて、前記プロセッサが前記プログラムを前記記録媒体から読み取って実行することにより、本発明の目的が達成される。前記プロセッサとしては、例えばＣＰＵ（Central Processing Unit）を用いることができる。前記記録媒体としては、「一時的でない有形の媒体」、例えば、ＲＯＭ（Read Only Memory）等の他、テープ、ディスク、カード、半導体メモリ、プログラマブルな論理回路などを用いることができる。また、前記プログラムを展開するＲＡＭ（Random Access Memory）などをさらに備えていてもよい。また、前記プログラムは、該プログラムを伝送可能な任意の伝送媒体（通信ネットワークや放送波等）を介して前記コンピュータに供給されてもよい。なお、本発明の一態様は、前記プログラムが電子的な伝送によって具現化された、搬送波に埋め込まれたデータ信号の形態でも実現され得る。
【０２７０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【０２７１】
１  写真シール作成装置（写真撮影装置）
４  画像管理サーバ（管理装置）
５  ポイントサーバ
６  携帯端末（端末装置）
１１  撮影ユニット
１２  編集部
１３  事後接客部
２１  撮影部
２０１  制御部
３１１  通信制御部
３１２  撮影制御部
３１３  編集制御部
３１４  印刷制御部
３１５  事後接客制御部
４０１  制御部
４０２  記憶部
４０３  通信部
４１１  通信制御部
４１２  メール作成部
４１３  サイト処理部
４１４  画像管理部
４１５  ユーザ管理部
５０１  制御部
５０２  記憶部
５０３  通信部
５１１  通信制御部
５１２  ポイント会員管理部
５１３  ポイントサイト処理部
５２１  会員データベース
５２２  ページデータベース
６０１  制御部
６０２  記憶部
６０３  通信部
６０４  入力部
６０５  表示部
６１１  通信制御部
６１２  入力制御部
６１３  表示制御部
【図１】
2019032601.tif 000003
【図２】
2019032601.tif 000004
【図３】
2019032601.tif 000005
【図４】
2019032601.tif 000006
【図５】
2019032601.tif 000007
【図６】
2019032601.tif 000008
【図７】
2019032601.tif 000009
【図８】
2019032601.tif 000010
【図９】
2019032601.tif 000011
【図１０】
2019032601.tif 000012
【図１１】
2019032601.tif 000013
【図１２】
2019032601.tif 000014
【図１３】
2019032601.tif 000015
【図１４】
2019032601.tif 000016
【図１５】
2019032601.tif 000017
【図１６】
2019032601.tif 000018
【図１７】
2019032601.tif 000019
【図１８】
2019032601.tif 000020
【図１９】
2019032601.tif 000021
【図２０】
2019032601.tif 000022
【図２１】
2019032601.tif 000023
【図２２】
2019032601.tif 000024
【図２３】
2019032601.tif 000025
【図２４】
2019032601.tif 000026
【図２５】
2019032601.tif 000027
【図２６】
2019032601.tif 000028